(57)【要約】  開示の技術は、他の無線通信装置との同期が取れていない状況においてデータ信号が発生した場合においても、データ信号送信までの遅延量を低減する無線通信装置、無線通信システム、および無線通信方法を提供することを目的とする。【課題を解決するための手段】  上述した課題を解決し、目的を達成するために、開示の無線通信装置は、ランダムアクセス手順を実施する無線通信装置であって、前記ランダムアクセスの中で送信する第１の信号と、前記第１の信号とは異なる前記ランダムアクセス手順の信号ではない第２の信号と、を送信できる送信部と、前記第２の信号の制御情報を，前期第１の信号または前記第１の信号に付随する制御信号に含ませて，送信するように制御することが可能な制御部を有する。
2020031312.tif 000002
【特許請求の範囲】
【請求項１】
ランダムアクセス手順を実施する基地局であって、
前記ランダムアクセス手順で送信する第１の信号と、前記第１の信号とは異なる前記ランダムアクセス手順の信号ではない第２の信号と、を送信できる送信部と、
前記第２の信号の制御情報を、前記第１の信号または前記第１の信号に付随する制御信号に含ませて，送信するように制御することが可能な制御部を有する基地局。
【請求項２】
前記第１の信号は、ランダムアクセスレスポンス信号であり、前記第２の信号は、下りデータ信号であることを特徴とする請求項１に記載の基地局。
【請求項３】
前記ランダムアクセス手順は、非競合型のランダムアクセス手順であることを特徴とする請求項１または、２に記載の基地局。
【請求項４】
前記制御部は、前記第１の信号と前記第２の信号の送信前に、送信帯域に対してキャリアセンシングを実施し、
前記送信部は、前記キャリアセンシングの結果に応じて前記第１の信号と前記第２の信号を送信することを特徴とする請求項１乃至３の何れか１項に記載の基地局。
【請求項５】
前記送信部は、前記第１の信号と前記第２の信号を多重した信号を所定回数連続して送信することを特徴とする請求項１乃至４の何れか１項に記載の基地局。
【請求項６】
前記制御部は、前記第１の信号の信号に前記第２の信号の制御情報を含ませる際に、前記第２の信号の下りデータ信号の割り当て周波数リソース情報、下りデータ信号の割り当て時間リソース情報、下りデータ信号の変調情報の少なくとも１つを含んでいることを特徴とする請求項１乃至３の何れか１項に記載の基地局。
【請求項７】
前記制御部は、前記制御信号に前記第２の信号の制御情報を含ませる場合、前記制御信号にランダムアクセスレスポンス信号のタイプ情報を含ませ、
前記送信部は、前記制御信号を送信することを特徴とする請求項１乃至３の何れか１項に記載する基地局。
【請求項８】
前記制御部は、７オクテッドより小さいＭＡＣＰＤＵ構成の前記第１の信号を生成することを特徴とする１乃至７の何れか１つに記載する基地局。
【請求項９】
前記制御部は、第１の信号と第２の信号を送信する他の無線通信装置の識別子を用いて、前記制御信号をマスキングまたは、スクランブル処理を行うように制御することができることを特徴とする請求項１乃至８のうち何れか１項に記載の基地局。
【請求項１０】
前記制御部は、サブヘッダにランダムアクセス信号が格納されているか否かを示す情報があることを特徴とする請求項９に記載の基地局。
【請求項１１】
ランダムアクセス手順を実施する端末であって、
前記ランダムアクセス手順の第１の信号と、前記第１の信号とは異なる前記ランダムアクセス手順の信号ではない第２の信号と、を受信できる受信部と、
前記第２の信号の制御情報を、前記第１の信号または前記第１の信号に付随する前記第２の信号の制御信号に応じて、前記第２の信号の受信処理を行うことが可能な制御部を有する端末。
【請求項１２】
前記受信処理は、前記第２の信号に対する応答信号を生成することを特徴とする請求項１１に記載の端末。
【請求項１３】
前記受信部は、前記無線通信装置の識別子を用いて、前記制御信号をマスキングまたは、スクランブル処理が行われた制御信号を受信し、
前記制御部は、サブヘッダに含まれるランダムアクセス信号が格納されているか否かを示す情報に応じてランダムアクセス信号の有無を識別することができることを特徴とする請求項１１または、１２に記載の端末。
【請求項１４】
第１の無線通信装置と第２の無線通信装置との間でランダムアクセス手順を実施する無線通信装置であって、
前記第１の無線通信装置は、
前記ランダムアクセス手順で送信する第１の信号と、前記第１の信号とは異なる前記ランダムアクセス手順の信号ではない第２の信号と、を送信できる送信部と、
前記第２の信号の制御情報を、前記第１の信号または前記第１の信号に付随する制御信号に含ませて，送信するように制御することが可能な第１制御部を有し、
前記第１の信号と、前記第２の信号と、を受信できる受信部と、
前記制御信号に応じて、前記第２の信号の受信処理を行うことが可能な第２制御部を有する
ことを特徴とする無線通信システム。
【発明の詳細な説明】
【技術分野】
【０００１】
本発明は、基地局、端末、無線通信システム、に関する。
【背景技術】
【０００２】
現在のネットワークは、モバイル端末（スマートフォンやフューチャーホン）のトラフィックがネットワークのリソースの大半を占めている。また、モバイル端末が使うトラフィックは、今後も拡大していく傾向にある。【０００３】
一方で、IoT（Internet of a things）サービス（例えば、交通システム、スマートメータ、装置等の監視システム）の展開にあわせて、多様な要求条件を持つサービスに対応することが求められている。そのため、第５世代移動体通信（５Gまたは、NR（New  Radio））の通信規格では、第４世代移動体通信（4G）の標準技術（例えば、非特許文献１〜１１）に加えて、さらなる高データ信号レート化、大容量化、低遅延化を実現する技術が求められている。なお、第５世代通信規格については、３GPPの作業部会（例えば、TSG−RAN  WG１、TSG−RAN  WG２等）で技術検討が進められており、2017年12月に、初版がリリースされている。（非特許文献１２〜３９）
上記で述べたように、多種多様なサービスに対応するために、5Gでは、eMBB（Enhanced  Mobile  BroadBand）、Massive  MTC（Machine  Type  Communications)、およびURLLC（Ultra−Reliable and  Low  Latency  Communication）に分類される多くのユースケースのサポートを想定している。【０００４】
無線通信システムでは、基地局と移動局が通信を開始するに当たって、端末が最初に送信するためのチャネルが用意されている。3GPPにおいては、これをランダムアクセスチャネル（RACH：Random Access Channel）と呼び、RACHによる通信開始手順をランダムアクセス手順（Random Access Procedure）と呼んでいる。RACHには、移動局が送信した無線信号を基地局が識別する情報としてプリアンブルと呼ばれる情報が含まれている。この情報により、基地局が端末を識別できるようにしている。【０００５】
ランダムアクセス手順は、イニシャルアクセスを実施する場合、データ信号発生、及びハンドオーバ時の同期を確立する場合等で実行される。なお、イニシャルアクセスの実施と上りデータ信号が発生した場合におけるランダムアクセスは、端末が複数のプリアンブルの中から１つのプリアンブルを選択して使用する（これを競合型ランダムアクセス：Contention Based Random Access Procedureと呼ぶ。）。【０００６】
競合型のランダムアクセスでは、低確率であるが、複数の移動局が同じタイミングかつ同じRACHリソースを使用してプリアンブルを送信することが起こり得る。一方、下りデータ信号の発生時に同期を確率する場合とハンドオーバの際に移動先基地局と同期を確立する場合は、基地局が端末に固有となる個別シグネチャを割り当てる方法で実施される（これを非競合型ランダムアクセス：Non-contention Based Random Access Procedureと呼ぶ。）（非特許文献４、非特許文献２０）。【０００７】
競合型ランダムアクセスの手順について、簡単に説明する。競合型ランダムアクセスの手順では、はじめに端末がランダムに選択したプリアンブルを基地局に送信することでランダムアクセス手順を開始する（メッセージ１または、Random access Preambleと呼ぶ。）。次に、基地局は上り通信のための同期信号や送信許可などと共にメッセージ１の応答を返信する（メッセージ２または、Random Access Responseと呼ぶ。）。【０００８】
次に、有効な移動局のID等を端末が基地局に送信する（メッセージ３又は、Scheduled Transmissionと呼ぶ。）。なお、メッセージ１においてプリアンブルの衝突が起こっている場合、基地局は当該信号（メッセージ３）を復号（decode）することができず受信に失敗するため、プリアンブルの衝突が生じていたことを認識できる。基地局は、メッセージ３を受信できたか否かの情報を端末に送信する（メッセージ４または、Contention Resolutionと呼ぶ。）。なお、イニシャルアクセスを実施する場合の競合型ランダムアクセスにおいて、基地局がメッセージ３の受信に成功した場合、PDCCHによって新規の上り送信を通知する。また、上りデータ信号が発生した場合における非競合型ランダムアクセスにおいて、基地局がメッセージ３の受信に成功した場合、PDSCHで有効な端末の識別子（ID）を通知する。なお、基地局がメッセージ３の受信に失敗した場合、端末は、Non−Adaptive  HARQ（Hybrid Automatic Repeat reQuest ）を実施する。【０００９】
次に非競合型ランダムアクセスの手順について、簡単に説明する。あらかじめ個別のシグネチャの割り当てを送信する（メッセージ０または、Random  Access  Preamble  Assignmentと呼ぶ。）。端末は、当該個別プリアンブルをＲＡＣＨで送信する（メッセージ１または、Random access Preambleと呼ぶ。）。基地局は、上り通信のための同期信号や送信許可などと共にメッセージ１の応答信号を送信する（メッセージ２または、Random Access Responseと呼ぶ。）。【００１０】
このようにして、端末と基地局は、同期を確立し、データ信号通信を行う。具体的な例として、非競合型ランダムアクセス手順後の基地局の下りデータ信号送信について説明する。【００１１】
ランダムアクセスの終了後に上りの同期状態が非同期から同期に遷移する。基地局は、PDSCHを用いて下りデータ信号を移動局に送信する。なお、当該PDSCHが使用している無線リソースやMCSについては、PDSCHに付随するPDCCHで送信する。移動局が、下りデータ信号の受信に成功すると、上りは同期状態に遷移しているため、基地局にACK(ACKnowledgement)信号を返信することができる。
【先行技術文献】
【非特許文献】
【００１２】
【非特許文献１】3GPP  TS  36.211  V15.2.0
【非特許文献２】3GPP  TS  36.212  V15.2.1
【非特許文献３】3GPP  TS  36.213  V15.2.0
【非特許文献４】3GPP  TS  36.300  V15.2.0
【非特許文献５】3GPP  TS  36.321  V15.2.0
【非特許文献６】3GPP  TS  36.322  V15.1.0
【非特許文献７】3GPP  TS  36.323  V15.0.0
【非特許文献８】3GPP  TS  36.331  V15.2.2
【非特許文献９】3GPP  TS  36.413  V15.2.0
【非特許文献１０】3GPP  TS  36.423  V15.2.0
【非特許文献１１】3GPP  TS  36.425  V15.0.0
【非特許文献１２】3GPP  TS  37.340  V15.2.0
【非特許文献１３】3GPP  TS  38.201  V15.0.0
【非特許文献１４】3GPP  TS  38.202  V15.2.0
【非特許文献１５】3GPP  TS  38.211  V15.2.0
【非特許文献１６】3GPP  TS  38.212  V15.2.0
【非特許文献１７】3GPP  TS  38.213  V15.2.0
【非特許文献１８】3GPP  TS  38.214  V15.2.0
【非特許文献１９】3GPP  TS  38.215  V15.2.0
【非特許文献２０】3GPP  TS  38.300  V15.2.0
【非特許文献２１】3GPP  TS  38.321  V15.2.0
【非特許文献２２】3GPP  TS  38.322  V15.2.0
【非特許文献２３】3GPP  TS  38.323  V15.2.0
【非特許文献２４】3GPP  TS  38.331  V15.2.1
【非特許文献２５】3GPP  TS  38.401  V15.2.0
【非特許文献２６】3GPP  TS  38.410  V15.0.0
【非特許文献２７】3GPP  TS  38.413  V15.0.0
【非特許文献２８】3GPP  TS  38.420  V15.0.0
【非特許文献２９】3GPP  TS  38.423  V15.0.0
【非特許文献３０】3GPP  TS  38.470  V15.2.0
【非特許文献３１】3GPP  TS  38.473  V15.2.1
【非特許文献３２】3GPP  TR  38.801  V14.0.0
【非特許文献３３】3GPP  TR  38.802  V14.2.0
【非特許文献３４】3GPP  TR  38.803  V14.2.0
【非特許文献３５】3GPP  TR  38.804  V14.0.0
【非特許文献３６】3GPP  TR  38.900  V15.0.0
【非特許文献３７】3GPP  TR  38.912  V15.0.0
【非特許文献３８】3GPP  TR  38.913  V15.0.0
【発明の概要】
【発明が解決しようとする課題】
【００１３】
無線通信システムにおいて、データ信号通信の遅延量を低減することが要求されている。例えば、5Gで想定されているURLLCのサービスに対応できるような遅延量が要求される。そのため、端末と基地局との同期が取れていない状況においてデータ信号が発生した場合においても、データ信号送信までの遅延量を低減する方法が要求される。【００１４】
開示の技術は、上記に鑑みてなされたものであって、データ信号送信までの遅延量を低減することを目的とする。
【課題を解決するための手段】
【００１５】
上述した課題を解決し、目的を達成するために、開示の無線通信装置は、ランダムアクセス手順を実施する無線通信装置であって、前記ランダムアクセスの中で送信する第１の信号と、前記第１の信号とは異なる前記ランダムアクセス手順の信号ではない第２の信号と、を送信できる送信部と、前記第２の信号の制御情報を，前期第１の信号または前記第１の信号に付随する制御信号に含ませて，送信するように制御することが可能な制御部を備える。
【発明の効果】
【００１６】
非同期状態からデータ信号送信までの遅延量を低減することが出来る。
【図面の簡単な説明】
【００１７】
【図１】図１は、実施例１のネットワーク構成の一例を示す図である。
【図２】図２は、実施例１の無線通信システムにおける基地局の機能構成図の一例である。
【図３】図３は、実施例１の無線通信システムにおける端末の機能構成図の一例である。
【図４】図４は、実施例１の無線通信システムにおけるランダムアクセス手順を含むシーケンス図の一例である。
【図５】図５は、実施例２の無線通信システムにおけるランダムアクセス手順を含むシーケンス図の一例である。
【図６】図６は、実施例３の無線通信システムにおけるランダムアクセス手順を含むシーケンス図の一例である。
【図７】図７は、実施例４におけるMACRARの構成の第１の例である。
【図８】図８は、実施例４におけるランダムアクセス信号に含ませる下りの制御情報の構成の一例である。
【図９】図９は、実施例４における第１の例の具体的なMACRARの構成の例である。
【図１０】図１０は、実施例４におけるランダムアクセス信号に付随する下り制御情報の構成の一例である。
【図１１】図１１は、実施例４におけるMACRARの構成の第2の例である。
【図１２】図１２Ａ〜１２Ｃは、実施例４におけるランダムアクセス信号に含ませる制御情報の構成の一例である。
【図１３】図１３Ａ〜１３Ｃは、実施例４における第２の例の具体的なMACRARの構成の例である
【図１４】図１４は、RAR信号に含まれるMACRARの構成の一例である。
【図１５】図１５は、実施例４におけるランダムアクセス信号に付随する下り制御情報の構成の一例である。
【図１６】図１６Ａ〜１６Ｂは、実施例４におけるランダムアクセス信号とデータ信号の無線リソースへの割り当ての一例である。
【図１７】図１７Ａ〜１７Ｂは、実施例４におけるランダムアクセス信号とデータ信号の無線リソースへの割り当ての一例である。
【図１８】図１８Ａ〜１８Ｂは、ランダムアクセス信号(ＭＡＣＲＡＲ)を含むＭＡＣＰＤＵの構成の一例である。
【図１９】図１９は、ランダムアクセスレスポンス信号(ＭＡＣＲＡＲ)を含むＭＡＣＰＤＵにおけるランダムアクセスレスポンス信号(ＭＡＣＲＡＲ)のサブヘッダの構成の一例である。
【図２０】図２０Ａ〜２０Ｃは、実施例５におけるMAC RARの構成の例を示す図である。
【図２１】図２１は、実施例６におけるにおけるランダムアクセス手順を含むシーケンス図の一例である。
【図２２】図２２は、無線通信システムにおける基地局のハードウェア構成図の一例である。
【図２３】図２３は、無線通信システムにおける端末のハードウェア構成図の一例である。
【発明を実施するための形態】
【００１８】
以下、本実施の形態について図面を参照して詳細に説明する。本明細書における課題及び実施例は一例であり、本願の権利範囲を限定するものではない。特に、記載の表現が異なっていたとしても技術的に同等であれば、異なる表現であっても本願の技術を適用可能であり、権利範囲を限定するものではない。そして、各実施の形態は、処理内容を矛盾させない範囲で適宜組み合わせることが可能である。
【００１９】
また、本明細書で使用している用語や記載した技術的内容は、3GPPなど通信に関する規格として仕様書や寄書に記載された用語や技術的内容が適宜用いられてもよい。このような仕様書としては、例えば、先行技術文献で記載した3GPP  TS  38.211  V15.2.0がある。
【００２０】
（実施例１）
実施例１は、基地局と端末間において期処理を行うための信号とデータ信号を多重または連結して送信する例である。具体的には、データ信号と同期処理で用いられるランダムアクセス手順の信号（または、メッセージ）または、当該ランダムアクセス手順の信号（同期処理を行うための信号）に付随する制御信号にデータ信号の制御情報を付与して、送信する。なお、例えば、同期処理を行うための信号を第１の信号、データ信号を第２の信号と記載することができる。
【００２１】
実施例１の無線通信システム１を図１に示す。無線通信システム１は、基地局１００と、端末２００とを有する。基地局１００は、セルＣ１０を形成している。端末２０はセルＣ１００に存在しているとする。  なお、基地局１００は、例えば、マクロ無線基地局、ピコ無線基地局等の小型無線基地局（マイクロ無線基地局、フェムト無線基地局等を含む）の他、様々な規模の無線基地局であってもよく、無線通信装置、通信装置、送信装置等に言い換えて記載しても良い。また、端末２００は、例えば、携帯電話機、スマートフォン、PDA（Personal Digital Assistant）、パーソナルコンピュータ（Personal Computer）、車両等の無線通信機能を有する各種装置や機器（センサー装置等）などの無線端末であってもよく、無線通信装置、通信装置、受信装置、移動局等と言い換えても良い。
【００２２】
基地局１００は、図に示していないネットワーク装置（上位装置や他の基地局）と有線接続を介してネットワーク２に接続されている。なお、基地局１００を有線ではなく無線を介してネットワーク装置に接続してもよい。
【００２３】
基地局１００は、端末２００との無線通信機能とデジタル信号処理及び制御機能とを分離して別装置としてもよい。この場合、無線通信機能を備える装置をRRH（Remote Radio Head）、デジタル信号処理及び制御機能を備える装置をBBU（Base Band Unit）と呼ぶ。RRHはBBUから張り出されて設置され、それらの間は光ファイバなどで有線接続されてもよい。あるいは無線接続されてもよい。また、前述のRRHとBBUのようにではなく、例えば、Central UnitとDistributed Unitの２つに分離してもよい。Distributed Unitは、少なくともRF無線回路を含むが、これに加え、無線物理レイヤ（またはレイヤ１）機能、更にはMACレイヤ機能、更にはRLC機能をもたせてもよい。
【００２４】
一方、端末２００は、無線通信で基地局１００と通信を行う。また、基地局１００と同期が取れていない場合は、ランダムアクセス手順を用いて基地局１００と同期をとることができる。
【００２５】
次に、基地局１００について、説明する。基地局１００の機能ブロック構成の一例を図２に示す。基地局１００は、無線通信部１１０、制御部１２０、記憶部１３０、通信部１４０を有する。
【００２６】
無線通信部１１０は、送信部１１１、受信部１１２から構成され、端末２００と無線通信を行う。具体的には、送信部１１１は、端末２００にランダムアクセス手順の信号、下りデータ信号、及び下りの制御信号（以下PDCCH（Physical Downlink Control Channel）と記載することがある。）ランダムアクセス手順の信号や下りデータ信号の制御情報を含む制御信号を送信することができる。また、受信部１１２は、端末から送信されたランダムアクセス手順の信号、上りデータ信号、及び上りの制御信号を受信することができる。
【００２７】
制御部１２０は、基地局１００を制御する。具体的には、制御部１２０は、端末２００と非同期時にランダムアクセス手順の実行制御、受信部１１２が受信した信号の信号処理、送信ブロック（TB: Transport Brock）の作成、送信ブロックを無線リソースへのマッピング等の制御することができる。なお、送信ブロックの生成は、例えば、記憶部１３０に格納されている下りデータ信号とランダムアクセス手順で用いられるメッセージを１つの送信ブロックとして生成することが挙げられる。
【００２８】
記憶部１３０は、例えば、下りデータ信号を格納することができる。
【００２９】
通信部１４０は、有線または、無線を介してネットワーク装置（例えば、上位装置、他の基地局装置）と接続し、通信を行う。通信部１４０が受信した端末１００に向けたデータ信号は、記憶部１３０に格納することができる。
【００３０】
次に、端末２００について説明する。図３は、実施例１の無線通信システムにおける端末２００の機能構成図の一例である。図３に示すように、端末２００は、通信部２１０と、制御部２２０と、記憶部２３０を備える。これら各構成部分は、一方向又は双方向に、信号やデータの入出力が可能なように接続されている。なお、通信部２１０は、送信部２１１と受信部２１２と分けて記載することができる。
【００３１】
送信部２１０は、データ信号や制御信号を、アンテナを介して無線通信で送信する。なお、アンテナは送信と受信で共通でもよい。送信部２１１は、例えば、ランダムアクセス手順に関する信号、上りのデータ信号、上りの制御信号（以下PUCCH（Physical Uplink Control Channel）と記載することがある。）、下りデータ信号に対する応答信号を送信する。
【００３２】
受信部２１２は、基地局１００から送信されたデータ信号や制御信号を、アンテナを介して受信する。具体的には、ランダムアクセス手順の信号、下りデータ信号、及び下りの制御信号（以下PDCCH（Physical Downlink Control Channel）と記載することがある。）ランダムアクセス手順の信号や下りデータ信号の制御情報を含む制御信号等を受信する。また、受信する信号は例えば、チャネル推定や復調のために用いられるリファレンス信号を含む。
【００３３】
制御部２２０は、端末２００を制御する。具体的には、制御部２２０は、基地局１００と非同期時にランダムアクセス手順の実行制御、受信部１１２が受信した信号の信号処理、送信ブロック（TB: Transport Brock）の作成、送信ブロックを無線リソースへのマッピング等の制御することができる。
【００３４】
記憶部２３０は、例えば、上りデータ信号を格納することができる。また、記憶部２３０は、基地局１００から送信された無線に関する設定情報を格納することができる。
【００３５】
図４は、本実施例１に係る無線通信システムにおけるランダムアクセス手順を含むシーケンスの一例を示す図である。図４は、基地局１００と端末２００が非同期の状態（上り非同期の状態）で下りデータ信号が発生した例を用いており、端末２００が下りデータ信号に対する応答信号（ACK信号または、NACK（Negative ACKnowledgement ）信号）の送信までを説明したシーケンス図である。
【００３６】
基地局１００は、非同期の状態時にデータ信号が発生すると、端末２００と同期するためにランダムアクセス手順（非競合型ランダムアクセス手順）を開始する。はじめに、基地局の送信部１１１は、メッセージ０（または、RAPA:Random  Access  Preamble  Assingment）として、あらかじめ個別のプリアンブル（シグネチャ）の割り当てを送信し、端末２００の受信部２１２は、メッセージ０を受信する（Ｓ１０）。以下、メッセージ０（または、RAP:Random  Access  Preamble  Assingment）をRAPA(RAPA:Random  Access  Preamble  Assingment）信号と記載する。
【００３７】
次に、端末２００の送信部２１１は、メッセージ１（または、RAP：Random access Preamble）として、個別プリアンブルを送信し、基地局１００の受信部１１２は、メッセージ１を受信する（Ｓ２０）。以下、メッセージ１（または、RAP：Random access Preamble）をRAP(Random access Preamble）信号と記載する。
【００３８】
基地局１００の送信部１１１は、RAP信号を受信後にメッセージ２（RAR：Random Access Response）として、上り通信のための同期信号や送信許可などと共にメッセージ１の応答信号を送信すると共に、発生した下りデータ信号を送信し、端末２００の受信部２１２は、メッセージ２と下りデータ信号を受信する（Ｓ３０）。以下、メッセージ２（RAR：Random Access Response）をRAR（Random Access Response）信号と記載する。
【００３９】
なお、具体的には、例えば、制御部２２０において、RAR信号と当該下りデータ信号とを含む送信ブロックを構成し、構成した送信ブロックを送信する無線リソースにマッピングする。なお、当該下りデータ信号に対する制御情報は、RAR信号に対する制御情報に含ませるか、RAR信号の中に含ませて送信する。
【００４０】
基地局１００及び、端末２００は、RAR信号の送受信が成功することで、上りの非同期状態から同期状態に遷移する。
【００４１】
端末２００の送信部２１１は、受信部２１２が受信した下りデータ信号に対する応答信号（ACK信号または、NACK信号）を送信し、基地局の受信部１１２は、当該応答信号を受信する（Ｓ４０）。なお、基地局の制御部１２０は、受信した応答信号に応じてHARQ処理を実行する。
【００４２】
このように、ランダムアクセス手順に用いられる信号（または、メッセージ）とデータ信号を多重して送信することで、下りデータ信号を送信するまでの時間が早くなる。要するに、下りデータ信号送信までの遅延量を低減することができる。また、データ信号に対する制御情報については、メッセージ２に対する制御情報に含ませるか、メッセージ２の中に含ませて送信することが可能である。そのため、端末２００は、下りデータ信号を復号し、送信部２１１から応答信号を送信することができる。
【００４３】
以上、説明した第１実施形態によれば、基地局と端末間において同期処理を行うための信号（ランダムアクセス手順に用いられる信号）とデータ信号を多重または連結して送信することで、遅延量を低減することができる。例えば、従来のランダムアクセス手順と実施例１で説明したランダムアクセス手順からデータ信号送信までを比較すると、実施例１で説明した方法がデータ信号送信までより低遅延となる。なお、具体的には、ランダムアクセス手順に含めてデータ信号を送信するため、例えば、従来のランダムアクセス手順における上り同期が完了後にスケジューリングして送信していた下りデータ信号までの時間を短縮することができる。なお、下りデータは、ユーザプレーンのデータ、コントロールプレーンのデータのどちらでも良い。
【００４４】
（実施例２）
実施例１では、基地局と端末間において同期処理を行うための信号とデータ信号を多重または連結して送信する例について説明した。実施例２では、基地局１００と端末２００が免許不要帯域（以下、アンライセンス帯と呼ぶ。）を用いて通信する場合の例について説明する。なお、無線通信システム１、基地局１００、端末２００が実施例１と同様な構成については、同様な番号を付与して説明する。また、実施例１の無線通信システム１、基地局１００、端末２００の処理が同様なものについては、説明を省略する。
【００４５】
はじめに、アンライセンス帯について説明する。アンライセンス帯は、免許が不要な帯域であるため、様々なベンダーが使用することが出来る。要するに、例えば、アンライセンス帯では、異なるベンダー間で同じ周波数リソースを用いて通信する可能性がある。そのため、アンライセンス帯で通信する際には、信号の送信を行う前にキャリアセンシング（CS : Carrier Sensing）を行う。例えば、基地局１００が端末２００にアンライセンス帯で送信する場合、基地局１００の制御部１２０は、アンライセンス帯のキャリアセンシングを行うように制御し、当該アンライセンス帯を用いて、他の通信装置が通信をしていないことを確認後に送信部１１１から信号を送信する。
【００４６】
キャリアセンシングは、アンライセンス帯を用いた通信において必要となるため、例えば、ランダムアクセス手順をアンライセンス帯で行う場合、キャリアセンシングを行うタイミングが多くなり、そのキャリアセンシングの回数に応じて遅延量が多くなる問題がある。例えば、非競合型のランダムアクセス手順からその後のデータ信号送信までにおいては、基地局１００から送信されるRAPA信号、RAR信号、及びその後のデータ信号の送信の前にキャリアセンシングが必要となる。また、端末２００では、送信部２１１から送信するRAP信号、及びデータ信号に対する応答信号の前にキャリアセンシングが必要となる。なお、端末２００のキャリアセンシングの制御は、制御部２２０で行うことができる。
【００４７】
図５は、実施例２の無線通信システム１におけるランダムアクセス手順を含むシーケンスの一例を示す図である。図５のシーケンスは、基地局１００と端末２００がアンライセンス帯を用いて通信している場合のシーケンス図である。なお、実施例１と同様な処理については、同一のステップ番号を記載する。
【００４８】
基地局１００は、非同期時にデータ信号が発生すると、基地局と同期するためにランダムアクセス手順（非競合型ランダムアクセス手順）を開始する。はじめに、基地局１００は、送信部１１１からRAPA信号を送信する前に、RARP信号を送信するアンライセンス帯において、他の通信装置が通信をしているか否かを調べるためにキャリアセンシング（図面：CS）を行う。なお、キャリアセンシングにおける信号の有無の判断は、例えば、受信部１１２でアンライセンス帯域の信号を受信しようとし、制御部１２０でアンライセンス帯の信号強度を測定して、当該アンライセンス帯で所定値以上のパワーをあるか否かで、信号の有無を判断する。または、例えば、別途、検出部（図面記載無し）を設けて、信号を検出するようにしても良い。制御部１２０がキャリアセンシング後に信号が無いと判定すると、送信部１１１から、RARP信号を送信し、端末２００の受信部２１２は、RARP信号を受信する（Ｓ１０）。
【００４９】
次に、端末２００は、送信部２１１からRAP信号を送信する前に、メッセージ１を送信するアンライセンス帯において、他の通信装置が通信をしているか否かを調べるためにキャリアセンシング（図面：CS）を行う。なお、キャリアセンシングにおける信号の有無の判断は、例えば、受信部２１２でアンライセンス帯域の信号を受信しようとし、制御部２２０でアンライセンス帯の信号強度を測定して、当該アンライセンス帯で所定値以上のパワーをあるか否かで、信号の有無を判断する。または、例えば、別途、検出部（図面記載無し）を設けて、信号の有無を検出するようにしても良い。制御部２２０がキャリアセンシング後に信号が無いと判定すると端末２００の送信部２１１は、RAP信号を送信し、基地局１００の受信部１１２は、RAP信号を受信する（Ｓ２０）。
【００５０】
基地局１００は、受信部１１２がRAP信号を受信した後に、送信部１１１がRAR信号送信する前に、送信に用いるアンライセンス帯のキャリアセンシングを行い、アンライセンス帯の信号が無いタイミングでRAR信号と共に、発生した下りデータ信号を送信し、端末２００の受信部２１２は、RAR信号と下りデータ信号を受信する（Ｓ３０）。なお、具体的には、例えば、制御部２２０において、RAR信号と当該下りデータ信号とを含む送信ブロックを構成し、構成した送信ブロックを送信する無線リソースにマッピングする。なお、当該下りデータ信号に対する制御情報は、RAR信号に対する制御情報に含ませるか、RAR信号に含ませて送信する。
【００５１】
基地局１００及び、端末２００は、RAR信号の送受信が成功することで、上りの非同期状態から同期状態に遷移することができる。
【００５２】
端末２００は、受信部２１２が受信した下りデータ信号に対する応答信号（ＡＣＫ信号または、ＮＡＣＫ信号）を送信部２１１から送信する前に、応答信号を送信するアンライセンス帯において、他の通信装置が通信をしているか否かを調べるためにキャリアセンシングを行い、アンライセンス帯の信号が無いタイミングで送信部２１１から応答信号を送信し、基地局の受信部１１２は、当該応答信号を受信する（Ｓ４０）。なお、基地局の制御部１２０は、受信した応答信号に応じてＨＡＲＱ処理を実行する。
【００５３】
このように、アンライセンス帯を用いた通信において、ランダムアクセス手順に用いられる信号（または、メッセージ）とデータ信号を多重（または連結）して送信することで、データ信号の送信までのキャリアセンシングの回数を減らすことが出来る。例えば、従来のようにRAR信号と下りデータ信号の送信を別のタイミングで行うと、RAR信号の送信タイミングと下りデータ信号の送信タイミングで共にキャリアセンシングが必要となる。要するに２回のキャリアセンシングが必要となる。一方、実施例２で説明した方法を用いると、RAR信号と下りデータ信号を多重（又は、連結して）送信するためRAR信号と下りデータ信号の送信におけるキャリアセンシングが１回で良い。なお、実施例２では、信号の送受信が成功していることを仮定して記載している。
【００５４】
以上、説明した実施例２によれば、アンライセンス帯において基地局と端末間において同期処理を行うための信号（ランダムアクセス手順に用いられる信号）とデータ信号を多重または連結して送信することで、遅延量を低減することができる。例えば、ランダムアクセス手順に用いられる信号（または、メッセージ）とデータ信号を多重して送信することで、従来のランダムアクセス手順と比較し、遅延量を低減することができる。また、具体的には、ランダムアクセス手順に含めてデータ信号を送信するため、例えば、従来のランダムアクセス手順における上り同期が完了後にスケジューリングして送信していた下りデータ信号までの時間の短縮や、キャリアセンシングの回数を削減することが出来る。そのため、ライセンスキャリア帯との効果を比較すると、アンライセンス帯のほうがキャリアセンス分の遅延も減少できるのでより大きな効果となる。なお、下りデータは、ユーザプレーンのデータ、コントロールプレーンのデータのどちらでも良い。
【００５５】
（実施例３）
実施例１では、基地局と端末間において同期処理を行うための信号とデータ信号を多重または連結して送信する例について説明した。また、実施例２では、基地局と端末間において同期処理を行うための信号とデータ信号を多重または連結して送信する例について説明した。実施例３では、実施例２の無線通信システム１において、ランダムアクセス手順における連続送信の例について説明する。なお、無線通信システム１、基地局１００、端末２００が実施例１及び実施例２と同様な構成については、同様な番号を付与して説明する。また、実施例１及び実施例２の無線通信システム１、基地局１００、端末２００の処理が同様なものについては、説明を省略する。
【００５６】
図６は、実施例３の無線通信システムにおけるランダムアクセス手順を含むシーケンス図の一例である。図６のシーケンス図は、基地局１００と端末２００がアンライセンス帯を用いて通信している場合のシーケンス図である。なお、実施例２と同様な処理については、同一のステップ番号等を用いて記載する。また、図６における繰り返し送信回数は、３回と仮定して説明する。
【００５７】
図６におけるシーケンス図において、ステップＳ３０までは、図５のシーケンスと同様なため説明を省略する。なお、ステップＳ３０が繰り返し送信の１回目とする。
【００５８】
基地局１００は、繰り返し送信時についてもRAR信号と共に下りデータ信号を連続送信する場合も送信する前にキャリアセンシングが必要となる。そこで、ステップＳ３０において、RAR信号と下りデータ信号を送信したあとに、制御部１２０は、キャリアセンシングを実行するように制御する。
【００５９】
基地局１００の送信部１１１は、キャリアセンシングした結果、信号を送信可能と判定すると、連続送信の２回目となる当該信号（RAR信号と下りデータ信号）を送信する（Ｓ３１）。その後、制御部１２０は、再度キャリアセンシングを行うように制御する。キャリアセンシングした結果、制御部１２０が信号を送信可能と判定すると、送信部１１１から連続送信の３回目となる当該信号（RAR信号と下りデータ信号）を送信する（Ｓ３２）。なお、上り同期状態への遷移は、端末２００がRAR信号及び下りデータ信号を正常に受信したタイミングとなる。
【００６０】
また、図６の説明では、連続送信を行う各ステップの前でキャリアセンシングを行う例を用いて説明したが、例えば、ステップＳ３０〜Ｓ３１の間隔を短くする（所定の間隔（例えば、４ms）とする）ことでさらにキャリアセンシングの回数を減らすことができる。これは、キャリアセンシングを実行した後に、信号を送信できる状態になると、所定の間隔において、連続して信号を送信できるためキャリアセンシングの数を減らすことができる。
【００６１】
以上、説明した実施例３によれば、アンライセンス帯において基地局と端末間において同期処理を行うための信号（ランダムアクセス手順に用いられる信号）とデータ信号を多重または連結して送信することで、遅延量を低減することができる。さたに、ランダムアクセス手順に用いられる信号（または、メッセージ）とデータ信号を多重して連続して送信することで下りデータ信号の受信特性（信頼性）を向上することもできる。また、下りデータ信号に用いられる制御情報は、ランダムアクセス手順に用いられる信号に付随されているため、制御情報のオーバーヘッドについても低減することが出来る。
【００６２】
なお、実施例３では、実施例２の無線通信システム１をもとに説明したが、実施例１の無線通信システムにも適応することができる。例えば、実施例１のRAR信号と下りデータ信号の送信（図４のステップS３０相当）を複数回することでRAR信号と下りデータ信号の信頼性を向上することができる。なお、下りデータは、ユーザプレーンのデータ、コントロールプレーンのデータのどちらでも良い。
【００６３】
（実施例４）
実施例１乃至３では、基地局と端末間において同期処理を行うための信号とデータ信号を多重または連結して送信する例について説明した。実施例４では、下りデータ信号の制御情報の具体的な送信方法について説明する。なお、実施例４の説明では、実施例１をもとに説明するが、実施例２及び実施例３の無線通信システム１にも適応することができる。
【００６４】
初めに、実施例４におけるRAR信号内に下りデータ信号の制御情報を格納する例を説明する（以下、第１の方法と記載する。）。図７にRAR信号のMAC（Medium Access Control）  SDU（Service Data Unit）の構成（MAC  RAR(Medium Access Control Random Access Response)）の第１の例を示す。図７は、リザーブビット（図面：R）が１ビット、タイミングアドバンスコマンド（図面：Timing Advance command）が１２ビット、下りデータ信号に対する制御情報（図面：DLA(DL  assignment)）が２７ビット、一時的なC−RNTI値（Temporary C-RNTI(Radio. Network Temporary Identifier)）が１６ビットの例である。
【００６５】
下りデータ信号に対する制御情報（図面：DLA(DL  assignment)）には、少なくとも、下りデータ信号の割り当て周波数リソース情報（PDSCH  frequency resource allocation）、下りデータ信号の割り当て時間リソース情報（PDSCH  time resource allocation）、下りデータ信号の変調情報（MCS : Modulation and Coding Scheme）のうちの１つ以上が必要となる。なお、図７では、下りデータ信号に対する制御情報（図面：DLA(DL  assignment)）が２７ビットの例を示しているが、例えば、下りデータ信号に対する制御情報（図面：DLA(DL  assignment)）が１９ビット以内でまかなえるのであれば、８ビット（１オクテッド）分をなくしても良い。要するに、図７では、７オクテッドの例としているが、制御情報のビット数によっては、６オクテッド以下としても良い。
【００６６】
基地局１００は、下りデータ信号に対する制御情報を含むRAR信号を送信することを端末に通知するために、下り制御情報フォーマット（DCI(Downlink control information) formant（例えば、DCI formant1_0））内のReserved bitsの１ビットを使用して，端末２００にRAR信号の種類を通知する。端末２００の制御部２２０は、例えば、Reserved bitsが”１”の時に、図７の構成を有するRAR信号を受信すると判断する。または、DCI formatの中に上記で説明したRAR Typeフィールドを設定せずに従来通りのDCI formatでも通知することもできる。この場合、制御部１２０は、RARフィールドのリザーブビット(図面Ｒ)を”１”に設定し識別できるようにする。
【００６７】
次に、下りデータ信号に対する制御情報の詳細について説明する。図８にRAR信号に格納する下りデータ信号に対する制御情報（図面：DLA(DL  assignment)）の一例を示す。図８に示す例では、下り制御信号の情報として、下りデータ信号の割り当て周波数リソース情報（Frequency domain resource assignment）が１４ビット、下りデータ信号の割り当て時間リソース情報（Time domain resource assignment）が４ビット、仮想リソースブロックと物理リソースブロックのマッピングに関する情報（VRB-to-PRB mapping）が１ビット、下りデータ信号の変調情報（Modulation and coding scheme）が５ビット、上り通信に関する情報として、上りのパワー制御に関する情報（TPC Command）が２ビットの計２６ビットで構成される。なお、上りのパワー制御に関する情報については、PUCCHのカバレッジを適切に確保するために有用となるので残している。
【００６８】
なお、パワーの設定については、例えば、基地局がRAP信号を受信し，その受信信号レベルを参考にPUCCHのパワーを設定する。その際、PUCCHによるACK受信品質は，プレアンブル(RAP信号)の受信品質よりも高くすることが好ましい。従って、プレアンブルを受信した際の品質よりも高い品質（パワー）を設定することが好ましい。なお、図７に示したフォーマットの例は、２７ビットであったため、例えば、あまりの１ビットをリザーブビットとすることができる。
【００６９】
なお、下り制御情報（DCI）の情報には、上記で説明した情報以外にも、下り信号に対する情報として、例えば、下り制御情報フォーマットの識別情報（Identify for DCI formats）、新規データか否かを示す情報（New data indicator）、HARQプロセスの番号情報（HARQ process number）等があり、上り信号に対する情報として、上り制御信号のリソース情報（PUCC resource）、HARQタイミング情報（HARQ Timing）の情報がある。しかし、限られたリソースの中で重要な情報（例えば、下りデータ信号の割り当て周波数リソース情報（PDSCH  frequency resource allocation）、下りデータ信号の割り当て時間リソース情報（PDSCH  time resource allocation）、下りデータ信号の変調情報（MCS : Modulation and Coding Scheme））を優先するため、図８の例では、除いている。例えば、HARQに関する情報については、RAR信号とデータ信号を送信するタイミングの信号（ステップＳ３０相当）を繰り返し送信することで、下りデータ信号の受信特性を確保する方代替え手段もある。また、当該下りデータ信号に対する確認応答を受信するPUCCHの送信タイミングをあらかじめ設定し（例えば、RAR受信から4msとして、RRC(Radio Resource control)メッセージで設定するや標準規格書にハードコーディング（予め規定）して送信タイミングを設定する）、PUCCHが使用する無線リソースをPDCCHのリソースに関連付ける方法もある。そのため、HARQに関する制御情報を削除している。
【００７０】
図８で説明した各制御情報を含めたRAR2のMAC SDU構成（MAC RAR）の構成例を図９に示す。図９は、図７に示した制御情報（図面：DLA(DL  assignment)）を具体化した一例である。なお、リザーブビットは、制御情報（図面：DLA(DL  assignment)）の先頭（一番若いＯｃｔ（Ｏｃｔ２）の６ビット目）としている。以上のように基地局１００は、RAR信号に下りデータ信号の制御信号を格納することができる。従って、RAR信号と下りデータ信号をまとめて（連結または、多重して）送信することができる。そのため、データ信号の送信までの遅延量を低減することが出来る。
【００７１】
次に、RAR信号のための制御情報を用いて下りデータ信号の制御情報を示す例について説明する（以下、第２の方法と記載する。）。なお、ランダムアクセスレスポンスのための制御情報のフォーマットとして、例えば、既存のDCI_Format1_0に情報を追加しても良いし、説明する内容に沿った新しいDCI_Foramtを定義しても良い。
【００７２】
実施例４の第２の方法のRAR信号のための制御情報の一例を図１０に示す。図１０に示す情報は、下り制御情報フォーマット識別子（Identifier for DCI formats）が１ビット、割り当て周波数リソース情報(Frequency domain resource assignment)が１４ビット、ランダムアクセスプレアンブル値（Random Access Preamble index）が６ビット、アップリンク／サプリメンタルアップリンク識別子（UL/SUL indicator）が１ビット、サーチスペース／ＰＢＣＨ値（SS/PBCH index）が６ビット、ＰＲＡＣＨマスク値（PRACH Mask index）が４ビット、ランダムアクセスタイプ（RAR Type）が１ビット、リザーブビット(Reserved bits)が９ビットの例を示している。なお、ランダムアクセスタイプ（RAR Type）の１ビットは、ランダムアクセスレスポンスの構成を示す情報であり、例えば、ランダムアクセスタイプ（RAR Type）が”１”の場合、RAR信号とデータ信号を多重するためのフォーマットを用いていることを示す。
【００７３】
第２の方法の例では、RAR信号のリソースと下りデータ信号のリソースを周波数軸または、時間軸で連続して割り当てることでRAR信号に含む情報量を削減でき、例えば、図７で示したDLAの２７ビットを削減できる。また、２７ビットを削減すると、３ビットのリザーブビットが増えることとなる。そこで、この３ビットのリザーブビットの活用の一例を記載する。３ビットのリザーブビットの活用を考慮したMAC SDU構成（MACRAR）の構成の一例を図１１に示す。なお、図１１において、上記３ビットをリザーブビットとする場合は、図１１に記載のアップリンクグラン（ＵＬ  ｇｒａｎｔ）の３ビットをリザーブビットの３ビットとする。
【００７４】
図１１は、リザーブビット（図面：R）が１ビット、タイミングアドバンスコマンド（図面：Timing Advance command）が１２ビット、アップリンクグラント（図面：UL  grant）が３ビット、一時的なC−RNTI値（Temporary C-RNTI）が１６ビットの例である。なお、下りデータ信号の割り当てに関する情報（例えば、データ信号の変調情報（MCS : Modulation and Coding Scheme）等）については、RAR信号と同一にする（RAR信号に対する制御情報を活用する）ことで削減できる。言い換えれば、RAR信号と下りデータ信号は、同じ変調情報を用いて変調される。
【００７５】
次に、図１１に記載のアップリンクグラントの具体的な活用方法について記載する。図１２Ａ〜１２Ｃにアップリンクグラントの３ビットの構成の一例を示す。図１２Ａ〜１２Ｃは、それぞれ、CQIリクエスト(CQI（Channel  Quality  Information  request)１ビットとリザーブビット２ビット、上りのパワー制御情報(TPC(Transmission power control)  Command)が２ビットとリザーブビットが１ビット、CQIリクエスト１ビットと上りのパワー制御情報が２ビットの構成の例である。なお、図１３Ａ〜１３Ｃに、図１１に示したアップリンクグラントを図１２Ａ〜１２Ｃに対応させた具体例を示す。なお、CQIリクエストは、今後も下りデータ信号が発生すると考えられる場合に、CQI リクエストによって下りの無線品質を把握することで、以降の下り通信において最適なMCS設定を行うことを可能にする。
【００７６】
また、PUCCHのパワー制御を指定することで、下りデータ信号に対する応答信号を最適に近づけるパワーでの送信を可能とし、適切なカバレッジを確保することができる。なお，説明した第１の方法及び第２の方法は、DL Assignmentフィールドを削減することを目的としている。しかし，ランダムアクセスレスポンスのサイズを気にすることがないのであれば、例えば、非特許文献１６（3GPP  TS  38.212  V15.1.1（2018-04）Section 7.3.1）に記載の下り制御情報フォーマット（例えば、DCI Format 1_0 (for DL data)）のフィールド全てをRAR信号に含ませてもよい。
【００７７】
なお、第１の例(図７相当)と第２の例(図１１相当)に加え、さらに図１４に示すアップリングが２７ビットあるRAR信号のMAC SDU構成（MAC RAR）をRAR信号の制御情報で切り替えて使用することができるようにしても良い。なお、図１４は、リザーブビット（図面：Ｒ）が１ビット、タイミングアドバンスコマンド（図面：Timing Advance command）が１２ビット、アップリンクグラント（図面：UL grant）が２７ビット、一時的なＣ−ＲＮＴＩ値（図面：Temporary C-RNTI）が１６ビットの例であるRAR信号に含まれるMACRARの構成の一例であり、非特許文献２１（3GPP  TS  38.321  V15.2.0  Section 6.2.3）に記載されている。
【００７８】
図１５に複数のランダムアクセスレスポンスのフォーマットを変更することを可能とした制御情報の一例をしめす。図１５は、図１０に記載の情報からランダムアクセスタイプ（RAR Type）が２ビット、リザーブビット(Reserved bits)が８ビットに変更された例を示している。
【００７９】
例えば、ランダムアクセスタイプ（RAR Type）が“００”の時は、図１５に相当するMAC RARのフォーマットを示し、ランダムアクセスタイプ（RAR Type）が“０１”の時は、図７に相当するMAC RARのフォーマットを示し、ランダムアクセスタイプ（RAR Type）が“１０”の時は、図１１に相当するMAC RARのフォーマットを示す。このようにすることで、MAC RARのフォーマットを切り替えながら使用することができる。そのため、柔軟な無線リソースの割り当てを行うことや、無線リソースを効率に使用することができる。なお、これら制御情報の生成は、基地局１００の制御部１２０で行うことができる。
【００８０】
また、図１６Ａ〜１６Ｂ及び図１７Ａ〜１７Ｂに無線リソースへのマッピング例を示す。図１６Ａ〜１６Ｂのそれぞれは、ＲＡＲ信号（図面：領域Ａ）と下りデータ信号（図面：領域Ｂ）が同一の間隔Ｐ（例えば、スロット、ミニスロット、サブフレーム等）で周波数方向に連続している例と、ランダムアクセスレスポンス信号（図面：領域Ａ）と下りデータ信号（図面：領域Ｂ）が同一周波数で時間軸方向に連続している（連続した間隔Ｐを用いている）例を示す。また、図１７Ａ〜１７Ｂは、ランダムアクセスレスポンス信号（図面：領域Ａ）と下りデータ信号（図面：領域Ｂ）が同一の間隔Ｐで周波数方向に非連続している例と、ランダムアクセスレスポンス信号（図面：領域Ａ）と下りデータ信号（図面：領域Ｂ）が異なる周波数で時間軸方向に連続している（連続した間隔Ｐを用いている）例を示す。
【００８１】
第１の方法を用いると、ランダムサクセスレスポンス信号で図１６Ａ〜１６Ｂ及び図１７Ａ〜１７Ｂに記載のマッピングが可能であるため、柔軟に無線リソースにマッピングすることができる。一方、第２の方法を用いると、周波数または、時間軸上で連続している図１６１６Ａ〜１６Ｂのマッピングが可能となる。但し、第２の方法は、ＲＡＲ信号のサイズ（MAC  RAR）を小さくできる。
【００８２】
以上のように、実施例４によれば、基地局１００と端末２００間において同期処理を行うための信号（ランダムアクセス手順に用いられる信号）とデータ信号を多重または連結して送信することで、遅延量を低減することができる。具体的には、ランダムアクセス手順に用いられる信号（または、メッセージ）とデータ信号を多重して連続して送信することができ、従来のランダムアクセス手順と比較し、遅延量を低減することができる。さらに、ランダムアクセス手順に用いられる信号（または、メッセージ）または、ランダムアクセス手順に用いられる信号を制御する制御情報にデータ信号の制御情報を付随させることができる。なお、実施例４では、実施例１の無線通信システムをもとに説明したが、実施例２及び実施例３で説明した無線通信システム１にも適応できる。また、アンライセンス帯に適応する場合、例えば、連続した間隔Ｐ（例えば、図１７Ｂのマッピング）でランダムアクセス手順に用いられる信号（または、メッセージ）とデータ信号を多重する場合、キャリアセンシング後の連続して送れる時間毎にキャリアセンシングを行う必要があることを留意する必要がある。
【００８３】
（実施例５）
実施例１乃至３では、基地局と端末間において同期処理を行うための信号とデータ信号を多重または連結して送信する例について説明した。また、実施例４では、下りデータ信号の制御情報の具体的な送信方法について説明した。実施例５の説明では、RAR信号を含む信号に対する制御信号のフォーマットについて説明する。なお、実施例５では、実施例１及び実施例４で説明した無線通信システム１をもとに説明する。
【００８４】
図１８Ａ〜１８Ｂに実施例５におけるMACPDU(Media Access Control Protocol Date Unit)の構成の例を示す。図１８Ａは、単一のデータ信号をRAR信号に多重した例であり、図１８Ｂは、複数（図面は、２つ）のデータ信号をRAR信号に多重した例である。なお、図１８Ａ〜１８Ｂに記載のMAC RARは、例えば、実施例４で説明した、図７、９、１１、１３、１４のようなランダムアクセスレスポンスのMAC SDU（MAC RAR）が格納される。
【００８５】
初めに下りの制御信号の送信について説明する。下りの制御信号を基地局１００が送信する場合、基地局１００の制御部１２０は、端末２００の識別情報（C−RNTI）または、ランダムアクセス信号の識別情報（Random  Access−Radio  Network  Temporary  Identifier）によってマスキング又はスクランブリングされた巡回冗長検査（CRC）ビットを含む下り制御情報（PDCCH(Physical Downlink Control Channel)）を生成する。通常、ランダムアクセス手順の場合、このCRCは、RAR信号の識別情報に応じて行われる。
【００８６】
ここでは、ランダムアクセス手順の場合において、端末２００の識別情報（C−RNTI）を用いてマスキング又はスクランブリングされた巡回冗長検査（CRC）を用いた下り制御信号の生成について記載する。
【００８７】
ランダムアクセスレスポンス信号を含むMAC PDUにおけるランダムアクセスレスポンス信号のサブヘッダの構成例を図１９に示す。なお、ランダムアクセスレスポンス信号のサブヘッダは、図１８のE／T／RAPIDsubheaderに該当する。なお、図１８のE、T、RAPIDは、それぞれ、拡張領域（E−field : Extension field）、タイプ領域（Type field）、ランダムアクセスプレアンブル識別領域（The Random Access Preamble IDentifier field）に該当する。通常、拡張領域（E−field）は、複数のRAPIDを意味するフィールドであるが、PDCCHを端末固有の識別子でマスキング又はスクランブリングを行う際は、拡張領域（E−field）を用いて、基地局１００は、端末２００に通知する。
【００８８】
なお、制御部１２０は、端末２００の識別子（C−RNTI）でRAR信号に付随する制御信号(PDCCH)をマスキング又はスクランブリングする場合は、MAC RAR内のTemporary C-RNTIを減らしても良い。これは、既に端末２００の識別情報（C−RNTI）を用いてマスキング又はスクランブリングしているため減らすことができる。
【００８９】
図２０Ａ〜２０Ｃに実施例５におけるMAC RARの構成の例を示す図である。図２０Ａ、２０Ｂ，２０Ｃは、それぞれ、図７、図１１、図１４に記載のMAC RAR内のTemporary C-RNTIを削減したMAC RARの構成の構成となる。
【００９０】
このようにすることで、MAC RARのオクテッドを削減することができる。具体的には、図２０Ａと図７のMAC RARの構成を比較すると、図２０Ａの構成のほうが２オクテッド少なくなっていることがわかる。
【００９１】
なお、図２０Ａ〜２０Ｃは、Temporary C-RNTIを削減したMAC RARの構成を示したが、Temporary C-RNTIの代わりに違う情報を格納しても良い。例えば、下りのデータ信号に対する制御情報(DLA)やアップリンクの割り当て情報(UL grant)等をTemporary C-RNTIを削減可能なオクテッドに付与しても良い。
【００９２】
このようにすることで、下りのデータ信号に対する制御情報(DLA)とアップリンクの割り当て情報(UL grant)を含めたMAC RARを構成することができる。但し、Temporary C-RNTIは、１６ビットであるのに対して、例えば、アップリンクの割り当て情報(UL grant)は、図１４に記載しているとおり、２７ビットで構成されるため、１１ビット削減した情報になる。または、下りのデータ信号に対する制御情報(DLA)とアップリンクの割り当て情報(UL grant)を含めて４３ビットの構成にしても良い。その場合、例えば、下りのデータ信号と上りデータ信号で共通のMCSの使用や、Time domain resource assignmentを下りと上りで対応するように規定する（例えば、下りデータの受信後の４ｍｓを上りの送信タイミングとする）等を行い、４３ビット以内にする。このようにすることで、RAR信号で上りのデータに対する割り当てと下りのデータに対する割り当ての情報を送信することができる。
【００９３】
上記の場合の端末２００の動作について説明する。端末２００の受信部２１２は、PDCCHを端末固有の識別子でマスキング又はスクランブリングされたPDCCHを受信する。
【００９４】
次に制御部２２０は、PDCCHで指定された領域のPDSCHを受信、復号し、MAC PDU内のMACサブヘッダを解析する。ここで、先頭ビットが“０”、の場合、制御部１２０は、ショートデータ信号用のサブヘッダ、ロングデータ信号用のサブヘッダ、MAC  CE/UL  CCCH用サブヘッダの何れかであると判断する。これら３つの構成は、非特許文献５及び２１を参照する。また、これら３つのサブヘッダでは、図１８の拡張領域（Ｅ−ｆｉｅｌｄ）に相当する個所にリザーブビット（Ｒ）があるため先頭ビットが“０”、となる。
【００９５】
一方、ここで、先頭ビットが１、すなわちＥビットが“１”の場合、制御部１２０は、固有のデータ信号を含んだ（多重されたまたは連結された）RAR信号を受信したと識別する。
【００９６】
制御部２２０がデータ信号を含んだランダムアクセス信号と識別すると、制御部２２０は、図１８Ａ〜１８Ｂに記載の何れのフォーマットのMAC SDUを処理する動作を行う。
【００９７】
このようにすることで、端末固有の識別子を用いてPDCCHがマスキング又はスクランブリング場合でも、移動局２００は、RAR信号とデータ信号を受信することができる。
【００９８】
以上のように、実施例５によれば、基地局１００と端末２００間において同期処理を行うための信号（ランダムアクセス手順に用いられる信号）とデータ信号を多重または連結して送信することで、遅延量を低減することができる。具体的には、ランダムアクセス手順に用いられる信号（または、メッセージ）とデータ信号を多重して送信することができ、従来のランダムアクセス手順と比較し、遅延量を低減することができる。さらに、PDCCHのマスキング又はスクランブリングを端末固有の識別子を用いて行うことができる。なお、実施例５では、実施例１または、実施例４の無線通信システム１をもとに説明したが、実施例２及び実施例３で説明した無線通信システム１にも適応できる。例えば、アンライセンス帯において、同様のサブヘッダのフォーマットを用いることで実施例２又は、３に適応することができる。
【００９９】
（実施例６）
実施例１乃至５では、基地局と端末間において同期処理を行うための信号とデータ信号を多重または連結して送信する例をもとに説明した。また、実施例６では、基地局と端末間において同期処理を行うための信号と下りデータ信号以外の信号（例えば、コントロールプレーンの制御情報、ＮＡＳメッセージ、ＲＲＣメッセージ等）を多重または連結して送信する例をについて説明する。また、、実施例６では、実施例１及び実施例４等で説明した無線通信システム１をもとに説明する。なお、以下の説明では、下りデータ信号以外の信号としてＲＲＣメッセージを用いて説明するがこれに限定するわけでない。
【０１００】
図２１は、実施例６の無線通信システムにおけるランダムアクセス手順を含むシーケンス図の一例である。図２１のシーケンス図は、基地局１００と端末２００がアンライセンス帯を用いて通信している場合のシーケンス図である。なお、実施例１と同様な処理については、同一のステップ番号等を用いて記載する。
【０１０１】
図２１のシーケンス図において、ステップＳ２０までは、図４の処理と同様なため説明を省略する。基地局１００は、端末２００からRAP信号を受信したあとに、送信部１１１からRAR信号にRRCメッセージを多重または、連結して端末２００に送信する（Ｓ３３）。要するに、端末２００は、RAR信号とRRCメッセージを多重または連結した（または、１つの送信ブロックとした）信号を受信する。上記ステップＳ３３では、図７、図２０等で説明したMAC RARの制御情報（DLA）または、アップリンクグラント（UL grant）のビットにRRCメッセージに関連する情報（例えば、RRCメッセージのリソースを示す情報、RRCメッセージの多重の有無等）を格納しても良い。する。または、報知情報を用いてRRCメッセージを通知する。なお、RRCメッセージは、例えば、RRC Reconfigurationメッセージである。
【０１０２】
端末２００の送信部２１１は、受信部２１２がRAR信号とRRCメッセージを多重または連結した（または、１つの送信ブロックとした）信号を受信し、制御部でRRCの設定が完了した（設定することができた）後に、RRCメッセージに対する応答信号(RRC complete  message)を基地局１００に送信する（Ｓ３４）。
【０１０３】
基地局１００の送信部１１１は、RRCメッセージに対する応答信号を受信した後に、下りデータ信号を送信する（S35）。
【０１０４】
端末２００の送信部２１１は、受信部２１２が下りデータ信号を受信した後に、下りデータ信号に対する
応答信号を基地局１００に送信する（S40）。
【０１０５】
以上のようにすることで、下りデータ信号以外の信号（例えば、ＲＲＣメッセージ）とランダムアクセス手順を多重または連結して送信することができるため、非同期状態の時に下りデータが発生してから送信するまでの時間を短縮することができる。具体的には、従来では、RRCの設定が必要な場合、ランダムアクセス手順の後にRRC設定のためのメッセージを送信する。実施例６では、RAR信号とRRCの設定に関するメッセージとを多重または、連結して送信するので従来よりも下りデータの送信までを短縮することができる。なお、実施例６と他の実施例を組み合わせて、RAR信号、RRCの設定に関するメッセージ、下りデータの３つの下り信号を１つのステップで送信しても良い。要するに、基地局１００は、RAR信号、RRCの設定に関するメッセージ、下りデータを多重または連結して送信しても良い。この場合、例えば、RAR信号に付随する制御信号で下りデータまたは、RRCの設定に関するメッセージのリソースを示し、図７、図２０等に記載のMAC RARの制御情報(DLA、UL grant等)やTemporary-RNTIのフィールドを用いて、下りデータまたは、RRCの設定に関するメッセージのリソースを示すことができる。なお、Temporary-RNTIのフィールドは、RAR信号に付随する制御信号（PDCCH）をC-RNTIでマスキングまたは、スクランブルを行っている場合に、用いることができる。
【０１０６】
なお、実施例６では、実施例１または、実施例４の無線通信システム１をもとに説明したが、実施例２及び実施例３で説明した無線通信システム１にも適応できる。例えば、アンライセンス帯において、RAR信号とRRCメッセージを多重または、連結して送信することができる。また、実施例６は、実施例５の内容とも組み合わせることができる。例えば、実施例５で説明した図１９のサブヘッダのリザーブビットを多重している信号を示すフィールドとして用いても良い。要するに、図１９のＥフィールドでRAR信号と他の信号が多重されているか否かを示し、リザーブビットでその種類を示しても良い。また、図１９のＥフィールドとリザーブビットを併せて、４種類（RAR信号、RAR信号とRRCメッセージの多重、RAR信号と下りデータの多重、RAR信号とRRCメッセージの多重と下りデータの多重）を示すようにしても良い。また、実施例６及び上記で説明した実施例２、３，５と実施例６との組合せに実施例４で説明したMAC RARを用いることもできる。
【０１０７】
(その他の実施例)
実施例１乃至６では、非競合型ランダムアクセスにおけるRAR信号に下りデータ信号を多重または、連結させる例について説明した。しかし、本願は、これに限らず実施することが可能である。例えば、競合型ランダムアクセス中に下りデータが発生した場合のRAR信号(メッセージ２)やメッセージ４に実施例４で説明したMAC RARのフォーマットを適応しても良い。また、非競合型ランダムアクセス中の信号(例えば、メッセージ３)に上りデータ信号を多重させることもできる。その場合は、基地局１００は、RAR信号で上りデータのリソースの割り当てを行い、メッセージ３で野送信を許可する必要がある。
【０１０８】
（各実施形態の無線通信システムにおける各装置のハードウェア構成）
図２２及び図２３に基づいて、各実施形態および各変形例の無線通信システムにおける各装置のハードウェア構成を説明する。
【０１０９】
図２２は、基地局１００のハードウェア構成を示す図である。図２２に示すように、基地局１００は、ハードウェアの構成要素として、例えばアンテナ３１０を備えるRF（Radio  Frequency）回路３２０と、CPU（Central Processing Unit）３３０と、DSP（Digital  Signal  Processor）３４０と、メモリ３５０と、ネットワークIF（Interface）３６０とを有する。CPUは、バスを介して各種信号やデータ信号の入出力が可能なように接続されている。メモリ３５０は、例えばSDRAM（Synchronous  Dynamic  Random  Access  Memory）等のRAM（Random  Access  Memory）、ROM（Read  Only  Memory)、およびフラッシュメモリの少なくともいずれかを含み、プログラムや制御情報やデータ信号を格納する。
【０１１０】
図２に示す基地局１００の機能構成と図２２に示す基地局１００のハードウェア構成との対応を説明する。送信部１１１および受信部１１２（あるいは通信部１４０）は、例えばRF回路３２０、あるいはアンテナ３１０およびRF回路３２０により実現される。制御部１２０は、例えばCPU３３０、DSP３４０、メモリ３５０、不図示のデジタル電子回路等により実現される。デジタル電子回路としては、例えばASIC（Application Specific Integrated Circuit）、FPGA（Field-Programming Gate Array）、LSI（Large Scale Integration）等が挙げられる。
【０１１１】
なお、基地局１００において、複数のサブバンドで送信される複数のデータ信号が生成することもできるが、これらを生成するフィルタが、サブバンド毎に独立して構成されるようにしても良い。
【０１１２】
図２３は、端末２００のハードウェア構成を示す図である。図２３に示すように、無線端末２００は、ハードウェアの構成要素として、例えばアンテナ４１０を備えるRF回路４２０と、CPU４３０と、メモリ４４０とを有する。さらに、無線端末２００は、CPU４３０に接続されるLCD（Liquid  Crystal  Display）等の表示装置を有してもよい。メモリ４４０は、例えばSDRAM等のRAM、ROM、およびフラッシュメモリの少なくともいずれかを含み、プログラムや制御情報やデータ信号を格納する。
【０１１３】
図３に示す無線端末２００の機能構成と図２３に示す無線端末２００のハードウェア構成との対応を説明する。送信部２１１および受信部２１２（あるいは通信部２４０）は、例えばRF回路４２０、あるいはアンテナ４１０およびRF回路４２０により実現される。制御部２２０は、例えばCPU４３０、メモリ４４０、不図示のデジタル電子回路等により実現される。デジタル電子回路としては例えば、例えばASIC、FPGA、LSI等が挙げられる。
【符号の説明】
【０１１４】
１  無線通信システム
１００  基地局
Ｃ１００  セル
１１０  無線通信部
１１１  送信部
１１２  受信部
１２０  制御部
１３０  記憶部
１４０  通信部
２００  端末
２１０  通信部
２１１  送信部
２１２  受信部
２２０  制御部
２３０  記憶部
３１０  アンテナ
３２０  ＲＦ回路
２３０  ＣＰＵ
３４０  ＤＳＰ
３５０  メモリ
３６０  ネットワークＩＦ
４１０  アンテナ
４２０  ＲＦ回路
４３０  ＣＰＵ
３５０  メモリ
【図１】
2020031312.tif 000003
【図２】
2020031312.tif 000004
【図３】
2020031312.tif 000005
【図４】
2020031312.tif 000006
【図５】
2020031312.tif 000007
【図６】
2020031312.tif 000008
【図７】
2020031312.tif 000009
【図８】
2020031312.tif 000010
【図９】
2020031312.tif 000011
【図１０】
2020031312.tif 000012
【図１１】
2020031312.tif 000013
【図１２】
2020031312.tif 000014
【図１３】
2020031312.tif 000015
【図１４】
2020031312.tif 000016
【図１５】
2020031312.tif 000017
【図１６】
2020031312.tif 000018
【図１７】
2020031312.tif 000019
【図１８】
2020031312.tif 000020
【図１９】
2020031312.tif 000021
【図２０】
2020031312.tif 000022
【図２１】
2020031312.tif 000023
【図２２】
2020031312.tif 000024
【図２３】
2020031312.tif 000025
【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
ランダムアクセス手順を実施する基地局であって、
前記ランダムアクセス手順で送信する第１の信号と、前記第１の信号とは異なる前記ランダムアクセス手順の信号ではない第２の信号であってコントロールプレーンの下り制御信号と、を多重したプロトコルデータユニットを送信できる送信部と、
前記第２の信号の伝送を制御する制御情報を、前記第１の信号に含ませて、送信するように制御することが可能な制御部を有する基地局。
【請求項２】
前記第１の信号は、ランダムアクセスレスポンス信号であり、前記第２の信号は、下りデータ信号であってＲＲＣ（Ｒａｄｉｏ  Ｒｅｓｏｕｒｃｅ  Ｃｏｎｔｒｏｌ）レイヤの信号であることを特徴とする請求項１に記載の基地局。
【請求項３】
前記ランダムアクセス手順は、非競合型のランダムアクセス手順であることを特徴とする請求項１または、２に記載の基地局。
【請求項４】
前記制御部は、前記第１の信号と前記第２の信号の送信前に、送信帯域に対してキャリアセンシングを実施し、
前記送信部は、前記キャリアセンシングの結果に応じて前記第１の信号と前記第２の信号を送信することを特徴とする請求項１乃至３の何れか１項に記載の基地局。
【請求項５】
前記送信部は、前記第１の信号と前記第２の信号を多重した信号を所定回数連続して送信することを特徴とする請求項１乃至４の何れか１項に記載の基地局。
【請求項６】
前記制御部は、前記第１の信号に前記第２の信号の制御情報を含ませる際に、前記ランダムアクセス手順で送信される第３の信号を送信するための周波数・時間リソースを含ませないことを特徴とする請求項１乃至３の何れか１項に記載の基地局。
【請求項７】
前記制御部は、前記第１の信号に付随する制御信号にランダムアクセスレスポンス信号のタイプ情報を含ませ、
前記送信部は、前記制御信号を送信することを特徴とする請求項１乃至３の何れか１項に記載する基地局。
【請求項８】
前記制御部は、７オクテッドより小さいＭＡＣＰＤＵ構成の前記第１の信号を生成することを特徴とする１乃至７の何れか１つに記載する基地局。
【請求項９】
前記制御部は、前記第１の信号と前記第２の信号を送信する他の無線通信装置の識別子を用いて、前記制御信号をマスキングまたは、スクランブル処理を行うように制御することができることを特徴とする請求項１乃至８のうち何れか１項に記載の基地局。
【請求項１０】
前記制御部は、サブヘッダにランダムアクセス信号が格納されているか否かを示す情報があることを特徴とする請求項９に記載の基地局。
【請求項１１】
ランダムアクセス手順を実施する端末であって、
前記ランダムアクセス手順の第１の信号と、前記第１の信号とは異なる前記ランダムアクセス手順の信号ではない第２の信号であってコントロールプレーンの下り制御信号と、を多重したプロトコルデータユニットを受信できる受信部と、
前記第２の信号の伝送を制御する制御情報が含まれた前記第１の信号に応じて、前記第２の信号の受信処理を行うことが可能な制御部を有する端末。
【請求項１２】
前記受信処理は、前記第２の信号に対する応答信号を生成することを特徴とする請求項１１に記載の端末。
【請求項１３】
前記受信部は、前記無線通信装置の識別子を用いて、前記制御信号をマスキングまたは、スクランブル処理が行われた制御信号を受信し、
前記制御部は、サブヘッダに含まれるランダムアクセス信号が格納されているか否かを示す情報に応じてランダムアクセス信号の有無を識別することができることを特徴とする請求項１１または、１２に記載の端末。
【請求項１４】
前記第１の信号は、ランダムアクセスレスポンス信号であり、前記第２の信号は、下りデータ信号であってＲＲＣレイヤ信号であることを特徴とする請求項１１乃至１３のうち何れか１項に記載の端末。
【請求項１５】
第１の無線通信装置と第２の無線通信装置との間でランダムアクセス手順を実施する無線通信システムであって、
前記第１の無線通信装置は、
前記ランダムアクセス手順で送信する第１の信号と、前記第１の信号とは異なる前記ランダムアクセス手順の信号ではない第２の信号であってコントロールプレーンの下り制御信号と、を多重したプロトコルデータユニットを送信できる送信部と、
前記第２の信号の伝送を制御する制御情報を、前記第１の信号に含ませて、送信するように制御することが可能な第１制御部を有し、
前記プロトコルデータユニットを受信できる受信部と、
前記第１の信号に応じて、前記第２の信号の受信処理を行うことが可能な第２制御部を有する
ことを特徴とする無線通信システム。
【手続補正２】
【補正対象書類名】明細書
【補正対象項目名】０００６
【補正方法】変更
【補正の内容】
【０００６】
競合型のランダムアクセスでは、低確率であるが、複数の移動局が同じタイミングかつ同じRACHリソースを使用してプリアンブルを送信することが起こり得る。一方、下りデータ信号の発生時に同期を確立する場合とハンドオーバの際に移動先基地局と同期を確立する場合は、基地局が端末に固有となる個別シグネチャを割り当てる方法で実施される（これを非競合型ランダムアクセス：Non-contention Based Random Access Procedureと呼ぶ。）（非特許文献４、非特許文献２０）。 
【手続補正３】
【補正対象書類名】明細書
【補正対象項目名】００２０
【補正方法】変更
【補正の内容】
【００２０】
（実施例１）
実施例１は、基地局と端末間において同期処理を行うための信号とデータ信号を多重または連結して送信する例である。具体的には、データ信号と同期処理で用いられるランダムアクセス手順の信号（または、メッセージ）または、当該ランダムアクセス手順の信号（同期処理を行うための信号）に付随する制御信号にデータ信号の制御情報を付与して、送信する。なお、例えば、同期処理を行うための信号を第１の信号、データ信号を第２の信号と記載することができる。 
【手続補正４】
【補正対象書類名】明細書
【補正対象項目名】００２１
【補正方法】変更
【補正の内容】
【００２１】
実施例１の無線通信システム１を図１に示す。無線通信システム１は、基地局１００と、端末２００とを有する。基地局１００は、セルＣ１０を形成している。端末２００はセルＣ１０に存在しているとする。なお、基地局１００は、例えば、マクロ無線基地局、ピコ無線基地局等の小型無線基地局（マイクロ無線基地局、フェムト無線基地局等を含む）の他、様々な規模の無線基地局であってもよく、無線通信装置、通信装置、送信装置等に言い換えて記載しても良い。また、端末２００は、例えば、携帯電話機、スマートフォン、PDA（Personal Digital Assistant）、パーソナルコンピュータ（Personal Computer）、車両等の無線通信機能を有する各種装置や機器（センサー装置等）などの無線端末であってもよく、無線通信装置、通信装置、受信装置、移動局等と言い換えても良い。 
【手続補正５】
【補正対象書類名】明細書
【補正対象項目名】００２３
【補正方法】変更
【補正の内容】
【００２３】
基地局１００は、端末２００との無線通信機能とデジタル信号処理及び制御機能とを分離して別装置としてもよい。この場合、無線通信機能を備える装置をRRH（Remote Radio Head）、デジタル信号処理及び制御機能を備える装置をBBU（Base Band Unit）と呼ぶ。RRHはBBUから張り出されて設置され、それらの間は光ファイバなどで有線接続されてもよい。あるいは無線接続されてもよい。また、前述のRRHとBBUではなく、例えば、Central UnitとDistributed Unitの２つに分離してもよい。Distributed Unitは、少なくともRF無線回路を含むが、これに加え、無線物理レイヤ（またはレイヤ１）機能、更にはMACレイヤ機能、更にはRLC機能をもたせてもよい。 
【手続補正６】
【補正対象書類名】明細書
【補正対象項目名】００２６
【補正方法】変更
【補正の内容】
【００２６】
無線通信部１１０は、送信部１１１、受信部１１２から構成され、端末２００と無線通信を行う。具体的には、送信部１１１は、端末２００にランダムアクセス手順の信号、下りデータ信号、下りの制御信号（以下PDCCH（Physical Downlink Control Channel）と記載することがある。）、及びランダムアクセス手順の信号や下りデータ信号の制御情報を含む制御信号を送信することができる。また、受信部１１２は、端末から送信されたランダムアクセス手順の信号、上りデータ信号、及び上りの制御信号を受信することができる。 
【手続補正７】
【補正対象書類名】明細書
【補正対象項目名】００２７
【補正方法】変更
【補正の内容】
【００２７】
制御部１２０は、基地局１００を制御する。具体的には、制御部１２０は、端末２００と非同期時にランダムアクセス手順の実行制御、受信部１１２が受信した信号の信号処理、送信ブロック（TB: Transport Brock）の作成、送信ブロックを無線リソースへのマッピング等の制御をすることができる。なお、送信ブロックの生成は、例えば、記憶部１３０に格納されている下りデータ信号とランダムアクセス手順で用いられるメッセージを１つの送信ブロックとして生成することが挙げられる。
【手続補正８】
【補正対象書類名】明細書
【補正対象項目名】００２９
【補正方法】変更
【補正の内容】
【００２９】
通信部１４０は、有線または、無線を介してネットワーク装置（例えば、上位装置、他の基地局装置）と接続し、通信を行う。通信部１４０が受信した端末２００に向けたデータ信号は、記憶部１３０に格納することができる。 
【手続補正９】
【補正対象書類名】明細書
【補正対象項目名】００３１
【補正方法】変更
【補正の内容】
【００３１】
送信部２１１は、データ信号や制御信号を、アンテナを介して無線通信で送信する。なお、アンテナは送信と受信で共通でもよい。送信部２１１は、例えば、ランダムアクセス手順に関する信号、上りのデータ信号、上りの制御信号（以下PUCCH（Physical Uplink Control Channel）と記載することがある。）、下りデータ信号に対する応答信号を送信する。 
【手続補正１０】
【補正対象書類名】明細書
【補正対象項目名】００３２
【補正方法】変更
【補正の内容】
【００３２】
受信部２１２は、基地局１００から送信されたデータ信号や制御信号を、アンテナを介して受信する。具体的には、ランダムアクセス手順の信号、下りデータ信号、下りの制御信号（以下PDCCH（Physical Downlink Control Channel）と記載することがある。）、及びランダムアクセス手順の信号や下りデータ信号の制御情報を含む制御信号等を受信する。また、受信する信号は例えば、チャネル推定や復調のために用いられるリファレンス信号を含む。 
【手続補正１１】
【補正対象書類名】明細書
【補正対象項目名】００３３
【補正方法】変更
【補正の内容】
【００３３】
制御部２２０は、端末２００を制御する。具体的には、制御部２２０は、基地局１００と非同期時にランダムアクセス手順の実行制御、受信部２１２が受信した信号の信号処理、送信ブロック（TB: Transport Brock）の作成、送信ブロックを無線リソースへのマッピング等の制御をすることができる。 
【手続補正１２】
【補正対象書類名】明細書
【補正対象項目名】００３６
【補正方法】変更
【補正の内容】
【００３６】
基地局１００は、非同期の状態時にデータ信号が発生すると、端末２００と同期するためにランダムアクセス手順（非競合型ランダムアクセス手順）を開始する。はじめに、基地局１００の送信部１１１は、メッセージ０（または、RAPA: Random  Access  Preamble  Assignment）として、あらかじめ個別のプリアンブル（シグネチャ）の割り当てを送信し、端末２００の受信部２１２は、メッセージ０を受信する（Ｓ１０）。以下、メッセージ０（または、RAPA: Random  Access  Preamble  Assignment）をRAPA(Random  Access  Preamble  Assignment）信号と記載する。 
【手続補正１３】
【補正対象書類名】明細書
【補正対象項目名】００４１
【補正方法】変更
【補正の内容】
【００４１】
端末２００の送信部２１１は、受信部２１２が受信した下りデータ信号に対する応答信号（ACK信号または、NACK信号）を送信し、基地局１００の受信部１１２は、当該応答信号を受信する（Ｓ４０）。なお、基地局１００の制御部１２０は、受信した応答信号に応じてHARQ処理を実行する。
【手続補正１４】
【補正対象書類名】明細書
【補正対象項目名】００４８
【補正方法】変更
【補正の内容】
【００４８】
基地局１００は、非同期時にデータ信号が発生すると、端末２００と同期するためにランダムアクセス手順（非競合型ランダムアクセス手順）を開始する。はじめに、基地局１００は、送信部１１１からRAPA信号を送信する前に、RAPA信号を送信するアンライセンス帯において、他の通信装置が通信をしているか否かを調べるためにキャリアセンシング（図面：CS）を行う。なお、キャリアセンシングにおける信号の有無の判断は、例えば、受信部１１２でアンライセンス帯域の信号を受信しようとし、制御部１２０でアンライセンス帯の信号強度を測定して、当該アンライセンス帯で所定値以上のパワーがあるか否かで、信号の有無を判断する。または、例えば、別途、検出部（図面記載無し）を設けて、信号を検出するようにしても良い。制御部１２０がキャリアセンシング後に信号が無いと判定すると、送信部１１１から、RAPA信号を送信し、端末２００の受信部２１２は、RAPA信号を受信する（Ｓ１０）。 
【手続補正１５】
【補正対象書類名】明細書
【補正対象項目名】００４９
【補正方法】変更
【補正の内容】
【００４９】
次に、端末２００は、送信部２１１からRAP信号を送信する前に、メッセージ１を送信するアンライセンス帯において、他の通信装置が通信をしているか否かを調べるためにキャリアセンシング（図面：CS）を行う。なお、キャリアセンシングにおける信号の有無の判断は、例えば、受信部２１２でアンライセンス帯域の信号を受信しようとし、制御部２２０でアンライセンス帯の信号強度を測定して、当該アンライセンス帯で所定値以上のパワーがあるか否かで、信号の有無を判断する。または、例えば、別途、検出部（図面記載無し）を設けて、信号の有無を検出するようにしても良い。制御部２２０がキャリアセンシング後に信号が無いと判定すると端末２００の送信部２１１は、RAP信号を送信し、基地局１００の受信部１１２は、RAP信号を受信する（Ｓ２０）。 
【手続補正１６】
【補正対象書類名】明細書
【補正対象項目名】００５３
【補正方法】変更
【補正の内容】
【００５３】
このように、アンライセンス帯を用いた通信において、ランダムアクセス手順に用いられる信号（または、メッセージ）とデータ信号を多重（または連結）して送信することで、データ信号の送信までのキャリアセンシングの回数を減らすことが出来る。例えば、従来のようにRAR信号と下りデータ信号の送信を別のタイミングで行うと、RAR信号の送信タイミングと下りデータ信号の送信タイミングで共にキャリアセンシングが必要となる。要するに２回のキャリアセンシングが必要となる。一方、実施例２で説明した方法を用いると、RAR信号と下りデータ信号を多重（又は、連結）して送信するためRAR信号と下りデータ信号の送信におけるキャリアセンシングが１回で良い。なお、実施例２では、信号の送受信が成功していることを仮定して記載している。
【手続補正１７】
【補正対象書類名】明細書
【補正対象項目名】００５８
【補正方法】変更
【補正の内容】
【００５８】
基地局１００は、繰り返し送信時において、RAR信号と共に下りデータ信号を連続送信する場合も送信する前にキャリアセンシングが必要となる。そこで、ステップＳ３０において、RAR信号と下りデータ信号を送信したあとに、制御部１２０は、キャリアセンシングを実行するように制御する。 
【手続補正１８】
【補正対象書類名】明細書
【補正対象項目名】００６１
【補正方法】変更
【補正の内容】
【００６１】
以上、説明した実施例３によれば、アンライセンス帯において基地局と端末間において同期処理を行うための信号（ランダムアクセス手順に用いられる信号）とデータ信号を多重または連結して送信することで、遅延量を低減することができる。さらに、ランダムアクセス手順に用いられる信号（または、メッセージ）とデータ信号を多重して連続して送信することで下りデータ信号の受信特性（信頼性）を向上することもできる。また、下りデータ信号に用いられる制御情報は、ランダムアクセス手順に用いられる信号に付随されているため、制御情報のオーバーヘッドについても低減することが出来る。 
【手続補正１９】
【補正対象書類名】明細書
【補正対象項目名】００６２
【補正方法】変更
【補正の内容】
【００６２】
なお、実施例３では、実施例２の無線通信システム１をもとに説明したが、実施例１の無線通信システムにも適応することができる。例えば、実施例１のRAR信号と下りデータ信号の送信（図４のステップＳ３０相当）を複数回実施することでRAR信号と下りデータ信号の信頼性を向上することができる。なお、下りデータは、ユーザプレーンのデータ、コントロールプレーンのデータのどちらでも良い。 
【手続補正２０】
【補正対象書類名】明細書
【補正対象項目名】００６６
【補正方法】変更
【補正の内容】
【００６６】
基地局１００は、下りデータ信号に対する制御情報を含むRAR信号を送信することを端末に通知するために、下り制御情報フォーマット（DCI(Downlink control information) format（例えば、DCI format1_0））内のReserved bitsの１ビットを使用して、端末２００にRAR信号の種類を通知する。端末２００の制御部２２０は、例えば、Reserved bitsが”１”の時に、図７の構成を有するRAR信号を受信すると判断する。または、DCI formatの中に上記で説明したRAR Typeフィールドを設定せずに従来通りのDCI formatでも通知することもできる。この場合、制御部１２０は、RARフィールドのリザーブビット(図面Ｒ)を”１”に設定し識別できるようにする。 
【手続補正２１】
【補正対象書類名】明細書
【補正対象項目名】００６８
【補正方法】変更
【補正の内容】
【００６８】
なお、パワーの設定については、例えば、基地局がRAP信号を受信し、その受信信号レベルを参考にPUCCHのパワーを設定する。その際、PUCCHによるACK受信品質は、プリアンブル(RAP信号)の受信品質よりも高くすることが好ましい。従って、プリアンブルを受信した際の品質よりも高い品質（パワー）を設定することが好ましい。なお、図７に示したフォーマットの例は、２７ビットであったため、例えば、あまりの１ビットをリザーブビットとすることができる。 
【手続補正２２】
【補正対象書類名】明細書
【補正対象項目名】００６９
【補正方法】変更
【補正の内容】
【００６９】
なお、下り制御情報（DCI）の情報には、上記で説明した情報以外にも、下り信号に対する情報として、例えば、下り制御情報フォーマットの識別情報（Identify for DCI formats）、新規データか否かを示す情報（New data indicator）、HARQプロセスの番号情報（HARQ process number）等があり、上り信号に対する情報として、上り制御信号のリソース情報（PUCCHresource）、HARQタイミング情報（HARQ Timing）の情報がある。しかし、限られたリソースの中で重要な情報（例えば、下りデータ信号の割り当て周波数リソース情報（PDSCH  frequency resource allocation）、下りデータ信号の割り当て時間リソース情報（PDSCH  time resource allocation）、下りデータ信号の変調情報（MCS : Modulation and Coding Scheme））を優先するため、図８の例では、除いている。例えば、HARQに関する情報については、RAR信号とデータ信号とを送信するタイミングの信号（ステップＳ３０相当）を繰り返し送信することで、下りデータ信号の受信特性を確保する代替え手段もある。また、当該下りデータ信号に対する確認応答を受信するPUCCHの送信タイミングをあらかじめ設定し（例えば、RAR受信から4msとして、RRC(Radio Resource control)メッセージで設定する又は標準規格書にハードコーディング（予め規定）して送信タイミングを設定する）、PUCCHが使用する無線リソースをPDCCHのリソースに関連付ける方法もある。そのため、HARQに関する制御情報を削除している。 
【手続補正２３】
【補正対象書類名】明細書
【補正対象項目名】００７１
【補正方法】変更
【補正の内容】
【００７１】
次に、RAR信号のための制御情報を用いて下りデータ信号の制御情報を示す例について説明する（以下、第２の方法と記載する。）。なお、ランダムアクセスレスポンスのための制御情報のフォーマットとして、例えば、既存のDCI_Format1_0に情報を追加しても良いし、説明する内容に沿った新しいDCI_Formatを定義しても良い。 
【手続補正２４】
【補正対象書類名】明細書
【補正対象項目名】００７２
【補正方法】変更
【補正の内容】
【００７２】
実施例４の第２の方法のRAR信号のための制御情報の一例を図１０に示す。図１０に示す情報は、下り制御情報フォーマット識別子（Identifier for DCI formats）が１ビット、割り当て周波数リソース情報(Frequency domain resource assignment)が１４ビット、ランダムアクセスプリアンブル値（Random Access Preamble index）が６ビット、アップリンク／サプリメンタルアップリンク識別子（UL/SUL indicator）が１ビット、サーチスペース／ＰＢＣＨ値（SS/PBCH index）が６ビット、ＰＲＡＣＨマスク値（PRACH Mask index）が４ビット、ランダムアクセスタイプ（RAR Type）が１ビット、リザーブビット(Reserved bits)が９ビットの例を示している。なお、ランダムアクセスタイプ（RAR Type）の１ビットは、ランダムアクセスレスポンスの構成を示す情報であり、例えば、ランダムアクセスタイプ（RAR Type）が”１”の場合、RAR信号とデータ信号を多重するためのフォーマットを用いていることを示す。 
【手続補正２５】
【補正対象書類名】明細書
【補正対象項目名】００７３
【補正方法】変更
【補正の内容】
【００７３】
第２の方法の例では、RAR信号のリソースと下りデータ信号のリソースを周波数軸または、時間軸で連続して割り当てることでRAR信号に含む情報量を削減でき、例えば、図７で示したDLAの２７ビットを削減できる。また、２７ビットを削減すると、３ビットのリザーブビットが増えることとなる。そこで、この３ビットのリザーブビットの活用の一例を記載する。３ビットのリザーブビットの活用を考慮したMAC SDU構成（MAC RAR）の構成の一例を図１１に示す。なお、図１１において、上記３ビットをリザーブビットとする場合は、図１１に記載のアップリンクグラント（ＵＬ  ｇｒａｎｔ）の３ビットをリザーブビットの３ビットとする。
【手続補正２６】
【補正対象書類名】明細書
【補正対象項目名】００７８
【補正方法】変更
【補正の内容】
【００７８】
図１５に複数のランダムアクセスレスポンスのフォーマットを変更することを可能とした制御情報の一例を示す。図１５は、図１０に記載の情報からランダムアクセスタイプ（RAR Type）が２ビット、リザーブビット(Reserved bits)が８ビットに変更された例を示している。 
【手続補正２７】
【補正対象書類名】明細書
【補正対象項目名】００７９
【補正方法】変更
【補正の内容】
【００７９】
例えば、ランダムアクセスタイプ（RAR Type）が“００”の時は、図１４に相当するMAC RARのフォーマットを示し、ランダムアクセスタイプ（RAR Type）が“０１”の時は、図７に相当するMAC RARのフォーマットを示し、ランダムアクセスタイプ（RAR Type）が“１０”の時は、図１１に相当するMAC RARのフォーマットを示す。このようにすることで、MAC RARのフォーマットを切り替えながら使用することができる。そのため、柔軟な無線リソースの割り当てを行うことや、無線リソースを効率的に使用することができる。なお、これら制御情報の生成は、基地局１００の制御部１２０で行うことができる。 
【手続補正２８】
【補正対象書類名】明細書
【補正対象項目名】００８０
【補正方法】変更
【補正の内容】
【００８０】
また、図１６Ａ〜１６Ｂ及び図１７Ａ〜１７Ｂに無線リソースへのマッピング例を示す。図１７Ａ〜１７Ｂのそれぞれは、ＲＡＲ信号（図面：領域Ａ）と下りデータ信号（図面：領域Ｂ）が同一の間隔Ｐ（例えば、スロット、ミニスロット、サブフレーム等）で周波数方向に連続している例と、ランダムアクセスレスポンス信号（図面：領域Ａ）と下りデータ信号（図面：領域Ｂ）が同一周波数で時間軸方向に連続している（連続した間隔Ｐを用いている）例を示す。また、図１６Ａ〜１６Ｂは、ランダムアクセスレスポンス信号（図面：領域Ａ）と下りデータ信号（図面：領域Ｂ）が同一の間隔Ｐで周波数方向に非連続している例と、ランダムアクセスレスポンス信号（図面：領域Ａ）と下りデータ信号（図面：領域Ｂ）が異なる周波数で時間軸方向に連続している（連続した間隔Ｐを用いている）例を示す。 
【手続補正２９】
【補正対象書類名】明細書
【補正対象項目名】００８１
【補正方法】変更
【補正の内容】
【００８１】
第１の方法を用いると、ランダムアクセスレスポンス信号で図１６Ａ〜１６Ｂ及び図１７Ａ〜１７Ｂに記載のマッピングが可能であるため、柔軟に無線リソースにマッピングすることができる。一方、第２の方法を用いると、周波数または、時間軸上で連続している図１７Ａ〜１７Ｂのマッピングが可能となる。但し、第２の方法は、ＲＡＲ信号のサイズ（MAC  RAR）を小さくできる。 
【手続補正３０】
【補正対象書類名】明細書
【補正対象項目名】００８４
【補正方法】変更
【補正の内容】
【００８４】
図１８Ａ〜１８Ｂに実施例５におけるMAC PDU(Media Access Control Protocol Date Unit)の構成の例を示す。図１８Ａは、単一のデータ信号をRAR信号に多重した例であり、図１８Ｂは、複数（図面は、２つ）のデータ信号をRAR信号に多重した例である。なお、図１８Ａ〜１８Ｂに記載のMAC RARは、例えば、実施例４で説明した、図７、９、１１、１３、１４のようなランダムアクセスレスポンスのMAC SDU（MAC RAR）が格納される。 
【手続補正３１】
【補正対象書類名】明細書
【補正対象項目名】００８７
【補正方法】変更
【補正の内容】
【００８７】
ランダムアクセスレスポンス信号を含むMAC PDUにおけるランダムアクセスレスポンス信号のサブヘッダの構成例を図１９に示す。なお、ランダムアクセスレスポンス信号のサブヘッダは、図１８のE／T／RAPIDsubheaderに該当する。なお、図１８のE、T、RAPIDは、それぞれ、拡張領域（E−field : Extension field）、タイプ領域（Type field）、ランダムアクセスプリアンブル識別領域（The Random Access Preamble IDentifier field）に該当する。通常、拡張領域（E−field）は、複数のRAPIDを意味するフィールドであるが、PDCCHを端末固有の識別子でマスキング又はスクランブリングを行う際は、拡張領域（E−field）を用いて、基地局１００は、端末２００に通知する。 
【手続補正３２】
【補正対象書類名】明細書
【補正対象項目名】００９２
【補正方法】変更
【補正の内容】
【００９２】
このようにすることで、下りのデータ信号に対する制御情報(DLA)とアップリンクの割り当て情報(UL grant)を含めたMAC RARを構成することができる。但し、Temporary C-RNTIは、１６ビットであるのに対して、例えば、アップリンクの割り当て情報(UL grant)は、図１４に記載している通り、２７ビットで構成されるため、１１ビット削減した情報になる。または、下りのデータ信号に対する制御情報(DLA)とアップリンクの割り当て情報(UL grant)を含めて４３ビットの構成にしても良い。その場合、例えば、下りのデータ信号と上りデータ信号で共通のMCSの使用や、Time domain resource assignmentを下りと上りで対応するように規定する（例えば、下りデータの受信後の４ｍｓを上りの送信タイミングとする）等を行い、４３ビット以内にする。このようにすることで、RAR信号で上りのデータに対する割り当てと下りのデータに対する割り当ての情報を送信することができる。 
【手続補正３３】
【補正対象書類名】明細書
【補正対象項目名】００９３
【補正方法】変更
【補正の内容】
【００９３】
上記の場合の端末２００の動作について説明する。端末２００の受信部２１２は、端末固有の識別子でマスキング又はスクランブリングされたPDCCHを受信する。 
【手続補正３４】
【補正対象書類名】明細書
【補正対象項目名】００９４
【補正方法】変更
【補正の内容】
【００９４】
次に制御部２２０は、PDCCHで指定された領域のPDSCHを受信、復号し、MAC PDU内のMACサブヘッダを解析する。ここで、先頭ビットが“０”の場合、制御部１２０は、ショートデータ信号用のサブヘッダ、ロングデータ信号用のサブヘッダ、MAC  CE/UL  CCCH用サブヘッダの何れかであると判断する。これら３つの構成は、非特許文献５及び２１を参照する。また、これら３つのサブヘッダでは、図１８の拡張領域（Ｅ−ｆｉｅｌｄ）に相当する個所にリザーブビット（Ｒ）があるため先頭ビットが“０”となる。 
【手続補正３５】
【補正対象書類名】明細書
【補正対象項目名】００９７
【補正方法】変更
【補正の内容】
【００９７】
このようにすることで、端末固有の識別子を用いてPDCCHがマスキング又はスクランブリングされた場合でも、端末２００は、RAR信号とデータ信号を受信することができる。
【手続補正３６】
【補正対象書類名】明細書
【補正対象項目名】０１００
【補正方法】変更
【補正の内容】
【０１００】
図２１は、実施例６の無線通信システムにおけるランダムアクセス手順を含むシーケンス図の一例である。図２１のシーケンス図は、基地局１００と端末２００がライセンスキャリア帯を用いて通信している場合のシーケンス図である。なお、実施例１と同様な処理については、同一のステップ番号等を用いて記載する。 
【手続補正３７】
【補正対象書類名】明細書
【補正対象項目名】０１０１
【補正方法】変更
【補正の内容】
【０１０１】
図２１のシーケンス図において、ステップＳ２０までは、図４の処理と同様なため説明を省略する。基地局１００は、端末２００からRAP信号を受信した後に、送信部１１１からRAR信号にRRCメッセージを多重または、連結して端末２００に送信する（Ｓ３３）。要するに、端末２００は、RAR信号とRRCメッセージを多重または連結した（または、１つの送信ブロックとした）信号を受信する。上記ステップＳ３３では、図７、図２０等で説明したMAC RARの制御情報（DLA）または、アップリンクグラント（UL grant）のビットにRRCメッセージに関連する情報（例えば、RRCメッセージのリソースを示す情報、RRCメッセージの多重の有無等）を格納しても良い。または、報知情報を用いてRRCメッセージを通知する。なお、RRCメッセージは、例えば、RRC Reconfigurationメッセージである。
【手続補正３８】
【補正対象書類名】明細書
【補正対象項目名】０１０２
【補正方法】変更
【補正の内容】
【０１０２】
端末２００の送信部２１１は、受信部２１２がRAR信号とRRCメッセージを多重または連結した（または、１つの送信ブロックとした）信号を受信し、制御部２２０でRRCの設定が完了した（設定することができた）後に、RRCメッセージに対する応答信号(RRC complete  message)を基地局１００に送信する（Ｓ３４）。
【手続補正３９】
【補正対象書類名】明細書
【補正対象項目名】０１０５
【補正方法】変更
【補正の内容】
【０１０５】
以上のようにすることで、下りデータ信号以外の信号（例えば、ＲＲＣメッセージ）とランダムアクセス手順に用いられる信号を多重または連結して送信することができるため、非同期状態の時に下りデータが発生してから送信するまでの時間を短縮することができる。具体的には、従来では、RRCの設定が必要な場合、ランダムアクセス手順の後にRRC設定のためのメッセージを送信する。実施例６では、RAR信号とRRCの設定に関するメッセージとを多重または、連結して送信するので従来よりも下りデータの送信までを短縮することができる。なお、実施例６と他の実施例を組み合わせて、RAR信号、RRCの設定に関するメッセージ、下りデータの３つの下り信号を１つのステップで送信しても良い。要するに、基地局１００は、RAR信号、RRCの設定に関するメッセージ、下りデータを多重または連結して送信しても良い。この場合、例えば、RAR信号に付随する制御信号で下りデータまたは、RRCの設定に関するメッセージのリソースを示し、図７、図２０等に記載のMAC RARの制御情報(DLA、UL grant等)やTemporary-RNTIのフィールドを用いて、下りデータまたは、RRCの設定に関するメッセージのリソースを示すことができる。なお、Temporary-RNTIのフィールドは、RAR信号に付随する制御信号（PDCCH）をC-RNTIでマスキングまたは、スクランブルを行っている場合に、用いることができる。 
【手続補正４０】
【補正対象書類名】明細書
【補正対象項目名】０１０６
【補正方法】変更
【補正の内容】
【０１０６】
なお、実施例６では、実施例１または、実施例４の無線通信システム１をもとに説明したが、実施例２及び実施例３で説明した無線通信システム１にも適応できる。例えば、アンライセンス帯において、RAR信号とRRCメッセージを多重または、連結して送信することができる。また、実施例６は、実施例５の内容とも組み合わせることができる。例えば、実施例５で説明した図１９のサブヘッダのリザーブビットを多重している信号を示すフィールドとして用いても良い。要するに、図１９のＥフィールドでRAR信号と他の信号が多重されているか否かを示し、リザーブビットでその種類を示しても良い。また、図１９のＥフィールドとリザーブビットを併せて、４種類（RAR信号、RAR信号とRRCメッセージの多重、RAR信号と下りデータの多重、RAR信号とRRCメッセージと下りデータの多重）を示すようにしても良い。また、実施例６及び上記で説明した実施例２、３、５と実施例６との組合せに実施例４で説明したMAC RARを用いることもできる。
【手続補正４１】
【補正対象書類名】明細書
【補正対象項目名】０１０７
【補正方法】変更
【補正の内容】
【０１０７】
(その他の実施例)
実施例１乃至６では、非競合型ランダムアクセスにおけるRAR信号に下りデータ信号を多重または、連結させる例について説明した。しかし、本願は、これに限らず実施することが可能である。例えば、競合型ランダムアクセス中に下りデータが発生した場合のRAR信号(メッセージ２)やメッセージ４に実施例４で説明したMAC RARのフォーマットを適応しても良い。また、非競合型ランダムアクセス中の信号(例えば、メッセージ３)に上りデータ信号を多重させることもできる。その場合は、基地局１００は、RAR信号で上りデータのリソースの割り当てを行い、メッセージ３での送信を許可する必要がある。 
【手続補正４２】
【補正対象書類名】明細書
【補正対象項目名】０１１３
【補正方法】変更
【補正の内容】
【０１１３】
図３に示す無線端末２００の機能構成と図２３に示す無線端末２００のハードウェア構成との対応を説明する。送信部２１１および受信部２１２（あるいは通信部２１０）は、例えばRF回路４２０、あるいはアンテナ４１０およびRF回路４２０により実現される。制御部２２０は、例えばCPU４３０、メモリ４４０、不図示のデジタル電子回路等により実現される。デジタル電子回路としては例えば、例えばASIC、FPGA、LSI等が挙げられる。 
【手続補正４３】
【補正対象書類名】明細書
【補正対象項目名】０１１４
【補正方法】変更
【補正の内容】
【０１１４】
１  無線通信システム
１００  基地局
Ｃ１００  セル
１１０  無線通信部
１１１  送信部
１１２  受信部
１２０  制御部
１３０  記憶部
１４０  通信部
２００  端末
２１０  通信部
２１１  送信部
２１２  受信部
２２０  制御部
２３０  記憶部
３１０  アンテナ
３２０  ＲＦ回路
２３０  ＣＰＵ
３４０  ＤＳＰ
３５０  メモリ
３６０  ネットワークＩＦ
４１０  アンテナ
４２０  ＲＦ回路
４３０  ＣＰＵ
４４０  メモリ
【国際調査報告】
2020031312.tif 000026
2020031312.tif 000027